(57)【要約】  ドライバビリティの悪化を防止することができる車両の制御装置を提供する。  ＥＣＵ（１００）は、制御許可条件成立の際に変換する制御アクセス開度を、エコランによるエンジン（１２）の自動停止の実行を判定するアイドル判定値よりも大きなアクセル下限値以上となるように設定するので、制御許可条件の成立によってアクセル開度を変換し、エンジントルクを低下させても、エンジン（１２）の自動停止が行われることがなく、ドライバビリティの悪化を防止することができる。
2011074037.tif 000002
【特許請求の範囲】
【請求項１】
動力源とアクセルペダルとブレーキペダルとを備えた車両の制御装置において、
前記アクセルペダルの踏み込み量を実アクセル開度として検出するアクセル開度検出手段と、
前記ブレーキペダルの踏み込みを検出するブレーキ検出手段と、
前記動力源から駆動輪へ伝達される動力伝達を遮断する動力遮断手段と、
前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、
前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、
前記出力制御手段により前記低下制御が実行される際、前記動力遮断手段による前記動力源から前記駆動輪へ伝達される動力伝達の遮断を禁止する動力遮断禁止手段と、
を備えたことを特徴とする車両の制御装置。
【請求項２】
前記動力源は、エンジンを有し、
前記動力遮断手段は、所定の停止条件が成立した場合に前記エンジンの自動停止を行うことにより、前記動力伝達を遮断し、
前記動力遮断禁止手段は、前記出力制御手段により前記低下制御が実行される際、前記動力遮断手段による前記エンジンの自動停止を禁止することを特徴とする請求項１に記載の車両の制御装置。
【請求項３】
前記動力遮断手段は、前記制御アクセル開度が予め設定されたアイドル判定値以下となった場合に、前記エンジンの自動停止を行い、
前記動力遮断禁止手段は、前記出力制御手段により変換される前記制御アクセル開度を前記アイドル判定値よりも大きなアクセル下限値以上とさせることを特徴とする請求項２に記載の車両の制御装置。
【請求項４】
前記動力遮断手段は、前記制御アクセル開度が予め設定されたアイドル判定値以下となった場合に、前記エンジンの自動停止を行い、
前記動力遮断禁止手段は、前記許可条件判定手段により前記制御許可条件が成立したと判定された場合には、前記動力遮断手段によるエンジンの自動停止を禁止することを特徴とする請求項２に記載の車両の制御装置。
【請求項５】
前記制御アクセル開度が予め設定されたアイドル判定値以下になった場合にアイドル状態と判定するアイドル判定手段を備え、
前記動力遮断手段は、前記アイドル判定手段にアイドル状態と判定された場合に、前記エンジンの自動停止を行い、
前記動力遮断禁止手段は、前記出力制御手段による前記低下制御の実行中、前記アイドル判定手段に前記制御アクセル開度が前記アイドル判定値以下となってもアイドル状態と判定させないことを特徴とする請求項２に記載の車両の制御装置。
【請求項６】
前記駆動輪に対する制動を行う制動手段を備え、
前記動力遮断手段は、所定の制動保持条件が成立した場合、前記制動手段に前記駆動輪の制動を保持させる保持制御を実行することにより、前記動力伝達を遮断し、
前記動力遮断禁止手段は、前記出力制御手段により前記低下制御が実行される際、前記動力遮断手段に前記保持制御を実行させないことを特徴とする請求項１に記載の車両の制御装置。
【請求項７】
前記動力遮断手段は、前記制御アクセル開度が予め設定されたアイドル判定値以下となった場合に、前記保持制御を実行し、
前記動力遮断禁止手段は、前記出力制御手段により変換される前記制御アクセル開度を前記アイドル判定値よりも大きなアクセル下限値以上とさせることを特徴とする請求項６に記載の車両の制御装置。
【請求項８】
前記動力遮断手段は、前記制御アクセル開度が予め設定されたアイドル判定値以下となった場合に、前記保持制御を実行し、
前記動力遮断禁止手段は、前記許可条件判定手段により前記制御許可条件が成立したと判定された場合には、前記動力遮断手段に前記保持制御を実行させないことを特徴とする請求項６に記載の車両の制御装置。
【請求項９】
前記制御アクセル開度が予め設定されたアイドル判定値以下になった場合にアイドル状態と判定するアイドル判定手段を備え、
前記動力遮断手段は、前記アイドル判定手段にアイドル状態と判定された場合に、前記保持制御を実行し、
前記動力遮断禁止手段は、前記出力制御手段による前記低下制御の実行中、前記アイドル判定手段に前記制御アクセル開度が前記アイドル判定値以下となってもアイドル状態と判定させないことを特徴とする請求項６に記載の車両の制御装置。
【請求項１０】
前記許可条件判定手段は、前記アクセル開度検出手段によりアクセルペダルの踏み込みが検出されている状態で、前記ブレーキ検出手段によりブレーキペダルの踏み込みが検出された場合に、前記制御許可条件の成立と判定することを特徴とする請求項１から請求項９のいずれか１の請求項に記載の車両の制御装置。
【請求項１１】
前記車両の状態を検出し、減速を判定する減速判定手段を備え、
前記許可条件判定手段は、前記減速判定手段により車両の減速が判定された場合に、前記制御許可条件の成立と判定することを特徴とする請求項１から請求項１０のいずれか１の請求項に記載の車両の制御装置。
【請求項１２】
前記ブレーキペダルの踏み込み量を検出するブレーキ踏力検出手段を備え、
前記減速判定手段は、前記ブレーキ踏力検出手段に検出されたブレーキペダルの踏み込み量に基づいて減速を判定することを特徴とする請求項１１に記載の車両の制御装置。
【請求項１３】
転動輪の回転数から前記車両の速度を検出する車体速検出手段を備え、
前記減速判定手段は、前記車体速検出手段に検出された転動輪の回転数の変化に基づいて減速を判定することを特徴とする請求項１１に記載の車両の制御装置。
【請求項１４】
前記車両の車速を検出する車速検出手段を備え、
前記出力制御手段は、前記車速検出手段により検出された車速が予め設定された車速以上である場合に、前記低下制御を実行することを特徴とする請求項１から請求項１３のいずれか１の請求項に記載の車両の制御装置。
【請求項１５】
前記出力制御手段は、前記許可条件判定手段により予め設定された時間以上、前記制御許可条件が成立したと判定された場合に、前記低下制御を実行することを特徴とする請求項１から請求項１４のいずれか１の請求項に記載の車両の制御装置。
【請求項１６】
前記出力制御手段は、前記アクセル開度検出手段により検出された前記アクセルペダルの踏み込み量が予め設定された踏み込み量よりも大きく変化した場合に、前記低下制御を終了させることを特徴とする請求項１から請求項１５のいずれか１の請求項に記載の車両の制御装置。
【請求項１７】
前記出力制御手段は、前記ブレーキ検出手段により前記ブレーキペダルが踏み込まれていないことを検出された場合に、前記動力源から出力される駆動力の低下制御を終了させることを特徴とする請求項１から請求項１６のいずれか１の請求項に記載の車両の制御装置。
【発明の詳細な説明】
【技術分野】
【０００１】
本発明は、車両の制御装置に関し、特に、動力源の出力の抑制制御を行う車両の制御装置に関する。
【背景技術】
【０００２】
一般に、車両は、「進む」能力として「駆動力」、「曲がる」能力として「操舵力」、「止まる」能力として「制動力」を、基本的に必要な３つの能力として備えている。【０００３】
「駆動力」は、アクセルペダルの踏み込み量等に応じて、内燃機関等の動力源（以下、エンジンという）によって動力、すなわち、トルクを発生させ、変速機等を介して発生させたトルクを駆動輪に伝達し、駆動輪と路面との摩擦力の反力として得られるようになっている。「操舵力」は、ハンドルの操作量等に応じて、例えば前輪の進行方向を変える操舵装置によって得られるようになっている。「制動力」は、ブレーキペダルの踏み込み量等に応じて、例えば車輪の回転を遅くしたり止めたりし、進行方向に車輪と路面との摩擦力を発生させ、その反力として得られるようになっている。【０００４】
アクセルペダルおよびブレーキペダルは、一般的にドライバーの足元の位置に隣接して配置されている。ドライバーの多くは、右足のみでアクセルペダルおよびブレーキペダルを踏み分けることにより、「駆動力」および「制動力」を制御、すなわち、車速を制御するようにしている。【０００５】
その際、例えば、自動変速装置付きの車両（以下、ＡＴ車という）においては、クラッチペダルがないため、ドライバーの中には、ブレーキペダルを左足で操作し、アクセルペダルとブレーキペダルとを左右別々の足で操作するドライバーもいる。このような両足操作を行うドライバーにあっては、アクセルペダルの踏み込みが解放されずにブレーキペダルを踏み込んでしまったり、ブレーキペダルの踏み込みが解放されずにアクセルペダルを踏み込んでしまったりする場合がある。【０００６】
このように、アクセルペダルとブレーキペダルとが同時に踏み込まれてしまった場合には、ドライバビリティの悪化を招くおそれがある。【０００７】
そこで、アクセルペダルとブレーキペダルとが同時に踏み込まれた場合に、エンジンの出力を低下させる車両の制御装置が知られている（例えば、特許文献１参照）。【０００８】
この従来の車両の制御装置は、アクセルペダルとブレーキペダルとが同時に踏み込まれた場合に、エンジンの燃料噴射量を一時的に減少させることにより、エンジンによって出力されるトルクを低減させるようになっている。【０００９】
また近年、燃料の節約とエミッションの低減を図るために所定条件下でエンジンを自動停止および再始動させる、いわゆるエコラン制御機能を備えた車両の制御装置が種々提供されている。【００１０】
このようなエコラン制御機能を備えた車両の制御装置においては、所定の停止条件下でエンジンを自動停止させ、また、所定の再始動条件下でエンジンを再始動させるようになっている。例えば、交差点における信号待ち等で車両が停車した場合に、エンジンを自動的に停止させ、その後、アクセルペダル等が踏み込まれ、車両が発進する際に、エンジンを自動的に再始動させることにより、その間の燃料の消費および排ガスの排出を停止することができるようになっている。【００１１】
また、停車時にブレーキがかかったまま保持されるブレーキホールド機能を備えた車両の制御装置も提案されている。このようなブレーキホールド機能を備えた車両の制御装置においては、例えば、渋滞時や信号待ちでブレーキペダルが常時踏み込まれていなくても、車両停止後はブレーキを保持するようになっている。
【先行技術文献】
【特許文献】
【００１２】
【特許文献１】特開昭６２−０５１７３７号公報
【発明の概要】
【発明が解決しようとする課題】
【００１３】
しかしながら、このような従来の車両の制御装置においては、車両の走行状態にかかわらず、アクセルペダルとブレーキペダルとが同時に踏み込まれた場合に、一律に燃料噴射量を減少させてトルクを低減するようになっていた。そのため、エコラン制御機能やブレーキホールド機能といった他の機能への影響が考慮されておらず、ドライバーの意思にかかわらず車両の停止や、車両のヘジテーション等が発生して、ドライバビリティが損なわれてしまうという問題があった。【００１４】
本発明は、このような従来の問題を解決するためになされたもので、ドライバビリティの悪化を防止することができる車両の制御装置を提供することを課題とする。
【課題を解決するための手段】
【００１５】
本発明に係る車両の制御装置は、上記課題を解決するため、（１）動力源とアクセルペダルとブレーキペダルとを備えた車両の制御装置において、前記アクセルペダルの踏み込み量を実アクセル開度として検出するアクセル開度検出手段と、前記ブレーキペダルの踏み込みを検出するブレーキ検出手段と、前記動力源から駆動輪へ伝達される動力伝達を遮断する動力遮断手段と、前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、前記出力制御手段により前記低下制御が実行される際、前記動力遮断手段による前記動力源から前記駆動輪へ伝達される動力伝達の遮断を禁止する動力遮断禁止手段と、を備えたことを特徴とした構成を有している。【００１６】
この構成により、動力源から駆動輪へ伝達される動力伝達を遮断する機能を備えた車両において、アクセルペダルとブレーキペダルとの踏み込みが同時に検出された場合に、動力源から出力される駆動力を低下させる低下制御を実行しつつ、低下制御の実行により発生する上記動力伝達の遮断は禁止するので、駆動力は低下させても車両が無用に停止することを防止でき、ドライバビリティの悪化を防止することができる。【００１７】
また、本発明に係る車両の制御装置は、上記（１）に記載の車両の制御装置において、（２）前記動力源は、エンジンを有し、前記動力遮断手段は、所定の停止条件が成立した場合に前記エンジンの自動停止を行うことにより、前記動力伝達を遮断し、前記動力遮断禁止手段は、前記出力制御手段により前記低下制御が実行される際、前記動力遮断手段による前記エンジンの自動停止を禁止することを特徴とした構成を有している。【００１８】
この構成により、所定の停止条件が成立した場合にエンジンの自動停止を行うエコラン制御機能を備えた車両において、エンジンから出力される駆動力を低下させる低下制御を実行する際、低下制御の実行により発生するエンジンの自動停止は禁止するので、無用なエンジンの自動停止を防止でき、ドライバビリティの悪化を防止することができる。【００１９】
さらに、本発明に係る車両の制御装置は、上記（２）に記載の車両の制御装置において、（３）前記動力遮断手段は、前記制御アクセル開度が予め設定されたアイドル判定値以下となった場合に、前記エンジンの自動停止を行い、前記動力遮断禁止手段は、前記出力制御手段により変換される前記制御アクセル開度を前記アイドル判定値よりも大きなアクセル下限値以上とさせることを特徴とした構成を有している。【００２０】
この構成により、制御許可条件成立の際に変換する制御アクセス開度は、エンジンの自動停止を行うアイドル判定値よりも大きなアクセル下限値以上となるので、制御許可条件の成立によってアクセル開度が変換されても、エンジンの自動停止が行われることがなく、ドライバビリティの悪化を防止することができる。【００２１】
さらに、本発明に係る車両の制御装置は、上記（２）に記載の車両の制御装置において、（４）前記動力遮断手段は、前記制御アクセル開度が予め設定されたアイドル判定値以下となった場合に、前記エンジンの自動停止を行い、前記動力遮断禁止手段は、前記許可条件判定手段により前記制御許可条件が成立したと判定された場合には、前記動力遮断手段によるエンジンの自動停止を禁止することを特徴とした構成を有している。【００２２】
この構成により、制御許可条件が成立した場合には、エンジンの自動停止を禁止するので、アクセルペダルとブレーキペダルとの踏み込みが同時に検出された場合に、エンジンから出力される駆動力を低下させる低下制御を実行しても、エンジンの自動停止が行われることがなく、ドライバビリティの悪化を防止することができる。【００２３】
さらに、本発明に係る車両の制御装置は、上記（２）に記載の車両の制御装置において、（５）前記制御アクセル開度が予め設定されたアイドル判定値以下になった場合にアイドル状態と判定するアイドル判定手段を備え、前記動力遮断手段は、前記アイドル判定手段にアイドル状態と判定された場合に、前記エンジンの自動停止を行い、前記動力遮断禁止手段は、前記出力制御手段による前記低下制御の実行中、前記アイドル判定手段に前記制御アクセル開度が前記アイドル判定値以下となってもアイドル状態と判定させないことを特徴とした構成を有している。【００２４】
この構成により、制御アクセル開度がアイドル判定値以下になった場合にアイドル状態と判定し、アイドル状態と判定された場合にエンジンの自動停止を行うが、低下制御の実行中はアイドル状態と判定させないので、低下制御の実行によるエンジンの自動停止が行われることがなく、ドライバビリティの悪化を防止することができる。【００２５】
さらに、本発明に係る車両の制御装置は、上記（１）に記載の車両の制御装置において、（６）前記駆動輪に対する制動を行う制動手段を備え、前記動力遮断手段は、所定の制動保持条件が成立した場合、前記制動手段に前記駆動輪の制動を保持させる保持制御を実行することにより、前記動力伝達を遮断し、前記動力遮断禁止手段は、前記出力制御手段により前記低下制御が実行される際、前記動力遮断手段に前記保持制御を実行させないことを特徴とした構成を有している。【００２６】
この構成により、所定の制動保持条件が成立した場合に駆動輪の制動を保持させるブレーキホールド機能を備えた車両において、エンジンから出力される駆動力を低下させる低下制御を実行する際、低下制御の実行により発生する駆動輪の保持制御は禁止するので、無用なブレーキホールドを防止でき、ドライバビリティの悪化を防止することができる。【００２７】
さらに、本発明に係る車両の制御装置は、上記（６）に記載の車両の制御装置において、（７）前記動力遮断手段は、前記制御アクセル開度が予め設定されたアイドル判定値以下となった場合に、前記保持制御を実行し、前記動力遮断禁止手段は、前記出力制御手段により変換される前記制御アクセル開度を前記アイドル判定値よりも大きなアクセル下限値以上とさせることを特徴とした構成を有している。【００２８】
この構成により、制御許可条件成立の際に変換する制御アクセス開度は、駆動輪の保持制御を行うアイドル判定値よりも大きなアクセル下限値以上となるので、制御許可条件の成立によってアクセル開度が変換されても、駆動輪の保持制御が行われることがなく、ドライバビリティの悪化を防止することができる。【００２９】
さらに、本発明に係る車両の制御装置は、上記（６）に記載の車両の制御装置において、（８）前記動力遮断手段は、前記制御アクセル開度が予め設定されたアイドル判定値以下となった場合に、前記保持制御を実行し、前記動力遮断禁止手段は、前記許可条件判定手段により前記制御許可条件が成立したと判定された場合には、前記動力遮断手段に前記保持制御を実行させないことを特徴とした構成を有している。【００３０】
この構成により、制御許可条件が成立した場合には、駆動輪の保持制御を禁止するので、アクセルペダルとブレーキペダルとの踏み込みが同時に検出された場合に、エンジンから出力される駆動力を低下させる低下制御を実行しても、駆動輪の保持制御が行われることがなく、ドライバビリティの悪化を防止することができる。【００３１】
さらに、本発明に係る車両の制御装置は、上記（６）に記載の車両の制御装置において、（９）前記制御アクセル開度が予め設定されたアイドル判定値以下になった場合にアイドル状態と判定するアイドル判定手段を備え、前記動力遮断手段は、前記アイドル判定手段にアイドル状態と判定された場合に、前記保持制御を実行し、前記動力遮断禁止手段は、前記出力制御手段による前記低下制御の実行中、前記アイドル判定手段に前記制御アクセル開度が前記アイドル判定値以下となってもアイドル状態と判定させないことを特徴とした構成を有している。【００３２】
この構成により、制御アクセル開度がアイドル判定値以下になった場合にアイドル状態と判定し、アイドル状態と判定された場合に駆動輪の保持制御を行うが、低下制御の実行中はアイドル状態と判定させないので、低下制御の実行による駆動輪の保持制御が行われることがなく、ドライバビリティの悪化を防止することができる。【００３３】
さらに、本発明に係る車両の制御装置は、上記（１）から（９）のいずれかに記載の車両の制御装置において、（１０）前記許可条件判定手段は、前記アクセル検出手段によりアクセルペダルの踏み込みが検出されている状態で、前記ブレーキ検出手段によりブレーキペダルの踏み込みが検出された場合に、前記制御許可条件の成立と判定することを特徴とした構成を有している。【００３４】
この構成により、アクセルペダルが踏み込まれている状態でブレーキペダルが踏み込まれた場合には、一般に運転者が車両の制動を要求している走行状態であるため、アクセルペダルが踏み込まれている状態でブレーキペダルが踏み込まれたことを検出した場合には、動力源から出力される駆動力を低下させることができる。【００３５】
さらに、本発明に係る車両の制御装置は、上記（１）から（１０）のいずれかに記載の車両の制御装置において、（１１）前記車両の状態を検出し、減速を判定する減速判定手段を備え、前記許可条件判定手段は、前記減速判定手段により車両の減速が判定された場合に、前記制御許可条件の成立と判定することを特徴とした構成を有している。【００３６】
この構成により、車両が減速している場合には、運転者が車両の制動を要求している走行状態であるため、アクセルペダルとブレーキペダルとが踏み込まれている状態で車両の減速が判定された場合には、動力源から出力される駆動力を低下させることができる。【００３７】
さらに、本発明に係る車両の制御装置は、上記（１１）に記載の車両の制御装置において、（１２）前記ブレーキペダルの踏み込み量を検出するブレーキ踏力検出手段を備え、前記減速判定手段は、前記ブレーキ踏力検出手段に検出されたブレーキペダルの踏み込み量に基づいて減速を判定することを特徴とした構成を有している。【００３８】
この構成により、ドライバーが車両の制動を要求している場合には、意図的にアクセルペダルとブレーキペダルとを同時に踏み込む場合と比較してブレーキの踏み込み量が大きくなるので、ブレーキペダルの踏み込み量に基づいてドライバーが車両の制動を要求していると判断することができる。したがって、ブレーキペダルの踏み込み量に基づいて車両の減速が判断された場合には、動力源から出力される駆動力を低下させることができる。【００３９】
さらに、本発明に係る車両の制御装置は、上記（１１）に記載の車両の制御装置において、（１３）転動輪の回転数から前記車両の速度を検出する車体速検出手段を備え、前記減速判定手段は、前記車体速検出手段に検出された転動輪の回転数の変化に基づいて減速を判定することを特徴とした構成を有している。【００４０】
この構成により、車両が減速している場合には、転動輪の回転数が低減するので、転動輪の回転数に基づいて車両が減速しているか否かを判断できる。したがって、転動輪の回転数の低減が検出された場合には、動力源から出力される駆動力を低下させることができる。【００４１】
さらに、本発明に係る車両の制御装置は、上記（１）から（１３）のいずれかに記載の車両の制御装置において、（１４）前記車両の車速を検出する車速検出手段を備え、前記出力制御手段は、前記車速検出手段により検出された車速が予め設定された車速以上である場合に、前記低下制御を実行することを特徴とした構成を有している。【００４２】
この構成により、車速が予め設定された車速以上であるならば、駆動力低下制御を実行し、車速が予め設定された車速未満であるならば、坂道発進等にも対応できるように駆動力低下制御を実行せずにすることによって、必要なトルク伝達は行って、ドライバビリティの悪化を防止することができる。【００４３】
さらに、本発明に係る車両の制御装置は、上記（１）から（１４）のいずれかに記載の車両の制御装置において、（１５）前記出力制御手段は、前記許可条件判定手段により予め設定された時間以上、前記制御許可条件が成立したと判定された場合に、前記低下制御を実行することを特徴とした構成を有している。【００４４】
この構成により、過度に低下制御が実行され、不必要に駆動力が低下することを防止できる。結果として、ドライバビリティの悪化を防止することができる。【００４５】
さらに、本発明に係る車両の制御装置は、上記（１）から（１５）のいずれかに記載の車両の制御装置において、（１６）前記アクセル検出手段は、前記アクセルペダルの踏み込み量を検出し、前記出力制御手段は、前記アクセル検出手段により検出された前記アクセルペダルの踏み込み量が予め設定された踏み込み量よりも大きく変化した場合に、前記低下制御を終了させることを特徴とした構成を有している。【００４６】
この構成により、アクセルペダルの踏み込み量が大きく変化した場合には、車両に対する加速要求が発生していると判断できる。したがって、低下制御を終了し、ドライバビリティの悪化を防止することができる。【００４７】
さらに、本発明に係る車両の制御装置は、上記（１）から（１６）のいずれかに記載の車両の制御装置において、（１７）前記出力制御手段は、前記ブレーキ検出手段により前記ブレーキペダルが踏み込まれていないことを検出された場合に、前記動力源から出力される駆動力の低下制御を終了させることを特徴とした構成を有している。【００４８】
この構成により、不必要に駆動力の低下が継続することを防止することができるので、ドライバビリティの悪化を防止することができる。
【発明の効果】
【００４９】
本発明によれば、動力源から出力される駆動力を低下させる低下制御の実行により発生する動力伝達の遮断は禁止し、駆動力は低下させても車両が無用に停止することを防止して、ドライバビリティの悪化を防止することができる車両の制御装置を提供することができる。
【図面の簡単な説明】
【００５０】
【図１】本発明の第１の実施の形態における制御装置を備えた車両の概略ブロック構成図である。
【図２】本発明の第１の実施の形態における車両制御の概略ブロック構成図である。
【図３】本発明の第１の実施の形態における自動変速機の構成を表す概略ブロック構成図である。
【図４】本発明の第１の実施の形態における各変速段を実現する摩擦係合要素の係合状態を示す作動表である。
【図５】本発明の第１の実施の形態におけるフロントディファレンシャル機構およびトランスファの構成を表す概略ブロック構成図である。
【図６】本発明の第１の実施の形態における車両制御処理を示すフローチャートである。
【図７】本発明の第１の実施の形態におけるエンジントルクの低下制御処理によるアクセル開度の変換を示すグラフである。
【図８】本発明の第２の実施の形態における車両制御処理を示すフローチャートである。
【図９】本発明の第３の実施の形態における車両制御処理を示すフローチャートである。
【発明を実施するための形態】
【００５１】
以下、本発明の実施の形態について、図面を参照して説明する。
【００５２】
（第１の実施の形態）
まず、本発明の第１の実施の形態における制御装置を備えた車両の構成について、図１に示す車両の概略ブロック構成図、および、図２に示す車両制御の概略ブロック構成図を参照して、説明する。
【００５３】
図１に示すように、本実施の形態における車両１０は、動力源としてのエンジン１２と、エンジン１２において発生したトルクを伝達するとともに車両１０の走行状態等に応じた変速段を形成する自動変速機１３と、自動変速機１３から伝達されたトルクを左右のフロントドライブシャフト２２Ｌ、２２Ｒに分配するフロントディファレンシャル機構１４と、プロペラシャフト２１によって伝達されたトルクを左右のリヤドライブシャフト２３Ｌ、２３Ｒに分配するリヤディファレンシャル機構１５と、自動変速機１３によって伝達されたトルクを前輪１７Ｌ、１７Ｒ側および後輪１８Ｌ、１８Ｒ側に分配するトランスファ１６と、前輪１７Ｌ、１７Ｒを制動するブレーキ装置２４Ｌ、２４Ｒと、後輪１８Ｌ、１８Ｒを制動するブレーキ装置２５Ｌ、２５Ｒと、を備えている。
【００５４】
また、車両１０は、車両１０全体を制御するための車両用電子制御装置としてのＥＣＵ（Electronic Control Unit）１００と、自動変速機１３およびトランスファ１６を油圧により制御する油圧制御装置１１０と、ドライバーとの入出力インターフェースとなる操作パネル１２０と、ナビゲーションシステム１７０と、を備えている。
【００５５】
さらに、車両１０は、クランクセンサ１３１と、インプットシャフト回転数センサ１３３と、アウトプットギヤ回転数センサ１３４と、シフトセンサ１４１と、アクセルセンサ１４２と、フットブレーキセンサ（以下、ＦＢセンサという）１４３と、スロットルセンサ１４５と、前輪回転数センサ１６１と、後輪回転数センサ１６２と、トランスファ入力回転数センサ１６３と、トランスファ出力回転数センサ１６４と、分配ＳＷセンサ１６５と、傾斜検出センサ１６６と、シート位置センサ１６７と、その他図示しない各種センサを備えている。上記車両１０に備えられたそれぞれのセンサは、検出した検出信号を、ＥＣＵ１００に出力するようになっている。
【００５６】
エンジン１２は、ガソリンあるいは軽油等の炭化水素系の燃料と空気との混合気を、図示しないシリンダの燃焼室内で燃焼させることによってトルクを出力する公知の動力装置により構成されている。エンジン１２は、燃焼室内で混合気の吸気、燃焼および排気を断続的に繰り返すことによりシリンダ内のピストンを往復動させ、ピストンと動力伝達可能に連結されたクランクシャフトを回転させることにより、自動変速機１３にトルクを伝達するようになっている。なお、エンジン１２に用いられる燃料は、エタノール等のアルコールを含むアルコール燃料であってもよい。
【００５７】
自動変速機１３は、複数の遊星歯車装置を備え、これらの遊星歯車装置に設けられた複数の摩擦係合要素としてのクラッチおよびブレーキの係合状態および解放状態の組み合わせに応じた変速段をとるようになっている。上記クラッチおよびブレーキは、油圧制御装置１１０により係合状態および解放状態を切り替えられるようになっている。
【００５８】
このような構成により、自動変速機１３は、エンジン１２の動力として入力されるクランクシャフトの回転すなわちトルクを、所定の変速比γで減速あるいは増速して、フロントディファレンシャル機構１４およびトランスファ１６に出力する有段式の変速機であり、走行状態に応じた変速段を構成し、各変速段に応じた速度変換を行うようになっている。自動変速機１３の詳細については、後述する。なお、自動変速機１３は、変速比を連続的に変化させる無段変速機によって構成されるものであってもよい。
【００５９】
フロントディファレンシャル機構１４は、カーブ等を走行する場合に、前輪１７Ｌと前輪１７Ｒとの回転数の差を許容するものである。フロントディファレンシャル機構１４は、複数の歯車を備えており、自動変速機１３により入力されたトルクを、フロントドライブシャフト２２Ｌ、２２Ｒに分配して、出力するようになっている。なお、フロントディファレンシャル機構１４は、フロントドライブシャフト２２Ｌ、２２Ｒを同一回転とし、前輪１７Ｌと前輪１７Ｒとの回転数の差を許容しないデフロック状態をとることができるものであってもよい。フロントディファレンシャル機構１４の詳細についても、後述する。
【００６０】
また、リヤディファレンシャル機構１５は、フロントディファレンシャル機構１４と略同一の構成を有しているため、説明を省略する。
【００６１】
トランスファ１６は、副変速機とも呼ばれ、自動変速機１３によって伝達されたトルクをフロントディファレンシャル機構１４と、リヤディファレンシャル機構１５と、に分配して伝達する、すなわち、上記トルクを前輪１７Ｌ、１７Ｒ側と、後輪１８Ｌ、１８Ｒ側と、に分配して伝達することができるものである。
【００６２】
本実施の形態における車両１０は、四輪駆動走行を選択しない通常走行時は前輪１７Ｌ、１７Ｒを駆動輪として走行する通常時前輪駆動車両としたので、トランスファ１６は、通常走行時および四輪駆動走行時には、以下のように動作する。すなわち、トランスファ１６は、通常走行時においては、自動変速機１３によって伝達されたトルクを、リヤディファレンシャル機構１５には伝達させず、フロントディファレンシャル機構１４にのみ伝達する。また、トランスファ１６は、四輪駆動走行時においては、自動変速機１３によって伝達されたトルクを、リヤディファレンシャル機構１５にも伝達させ、フロントディファレンシャル機構１４とリヤディファレンシャル機構１５とに分配して伝達するようになっている。トランスファ１６の詳細についても、後述する。
【００６３】
ブレーキ装置２４Ｌ、２４Ｒおよびブレーキ装置２５Ｌ、２５Ｒは、図示しないブレーキマスタシリンダと、ブレーキアクチュエータと、ブレーキ本体と、を有している。ブレーキマスタシリンダは、フットブレーキペダル２１３の踏み込み量に応じた油圧を発生させる。ブレーキマスタシリンダに発生された油圧は、ブレーキアクチュエータを介して、ブレーキ本体に伝達される。ブレーキ本体は、伝達された油圧を機械的な力に変換して、それぞれの前輪１７Ｌ、１７Ｒ、後輪１８Ｌ、１８Ｒを制動するようになっている。
【００６４】
また、ブレーキ装置２４Ｌ、２４Ｒおよびブレーキ装置２５Ｌ、２５Ｒは、ＥＣＵ１００に制御され、油圧制御装置１１０による油圧制御によって、フットブレーキペダル２１３の踏み込み量にかかわらず、それぞれの前輪１７Ｌ、１７Ｒ、後輪１８Ｌ、１８Ｒの制動を行うようになっている。  
なお、ブレーキ装置２４Ｌは前輪１７Ｌを、ブレーキ装置２４Ｒは前輪１７Ｒを、ブレーキ装置２５Ｌは後輪１８Ｌを、ブレーキ装置２５Ｒは後輪１８Ｒを、それぞれ制動するようになっている。
【００６５】
ＥＣＵ１００は、中央演算処理装置としてのＣＰＵ（Central Processing Unit）、固定されたデータの記憶を行うＲＯＭ（Read Only Memory）、一時的にデータを記憶するＲＡＭ（Random Access Memory）、書き換え可能な不揮発性のメモリからなるＥＥＰＲＯＭ（Electrically Erasable and Programmable Read Only Memory）および入出力インターフェース回路を備え、車両１０の制御を統括するようになっている。
【００６６】
また、後述するように、ＥＣＵ１００は、クランクセンサ１３１、アクセルセンサ１４２等と接続されている。ＥＣＵ１００は、これらのセンサから出力された検出信号により、エンジン回転数Ｎｅ、アクセル開度Ａｃｃ等を検出するようになっている。
【００６７】
また、ＥＣＵ１００は、内部時計を有し、時刻を計測することができるようになっている。  
さらに、ＥＣＵ１００は、油圧制御装置１１０を制御し、自動変速機１３およびトランスファ１６の各部の油圧を制御するようになっている。なお、ＥＣＵ１００の特徴的な機能については、後述する。
【００６８】
また、ＥＣＵ１００のＲＯＭには、後述する各変速段を実現する作動表および車両制御を実行するためのプログラムが記憶されている。また、ＥＣＵ１００のＲＯＭには、詳述しないスロットル開度制御マップ、変速線図、ロックアップ制御マップ、車両１０の諸元値等も記憶されている。
【００６９】
さらに、ＥＣＵ１００のＲＯＭには、アクセル踏み込み判定値Ａｃｃ＿ｔｖ、ブレーキ踏み込み判定値Ｂｆ＿ｔｖ、減速ブレーキ判定値ＢｆＤｃ＿ｔｖが記憶されている。
【００７０】
アクセル踏み込み判定値Ａｃｃ＿ｔｖは、アクセルペダル２１２の踏み込み量に応じてアクセルオン状態とするかアクセルオフ状態とするかを判定する判定値である。ブレーキ踏み込み判定値Ｂｆ＿ｔｖは、フットブレーキペダル２１３の踏み込み量に応じて、ブレーキオン状態とするかブレーキオフ状態とするかを判定する判定値である。
【００７１】
減速ブレーキ判定値ＢｆＤｃ＿ｔｖは、フットブレーキペダル２１３の踏み込み量に応じて、車両１０の減速か否かを判定する判定値である。なお、減速ブレーキ判定値ＢｆＤｃ＿ｔｖは、車両１０の走行状態に応じて算出するようにしてもよい。
【００７２】
さらに、ＥＣＵ１００のＲＯＭには、アイドル判定値およびアクセル下限値も記憶されている。  
アイドル判定値は、アクセル開度に基づいて車両１０がアイドル状態であるか否かを判定する判定値である。ここで、ＥＣＵ１００が判定の際に用いるアクセル開度は、実アクセル開度Ａｃｃ、または、制御アクセル開度である。制御アクセル開度とは、後述する制御許可条件の成立時に実アクセル開度Ａｃｃを変換したアクセル開度である。そして、ＥＣＵ１００は、アクセス開度がアイドル判定値以下の場合には、車両１０がアイドル状態であると判定して、アイドルＳＷをオンとし、アクセス開度がアイドル判定値よりも大きい場合には、車両１０がアイドル状態でないと判定して、アイドルＳＷをオフとする。
【００７３】
アクセル下限値は、制御許可条件の成立時にアクセル開度を出力低下用アクセル開度Ａｃｎに変換する際の下限値である。なお、このアクセル下限値は、上記アイドル判定値よりも大きな値である。したがって、本実施の形態において、ＥＣＵ１００は、制御許可条件が成立してもアクセル下限値よりもアクセル開度を小さくしないので、アクセル開度がアイドル判定値以下となることはなく、後述するエンジン１２のトルクを低下させる低下制御の実行によって車両１０がアイドル状態となることはない。  
なお、上記出力低下用アクセル開度Ａｃｎは、予め定められた値でもよいが、車両１０の走行状態に応じて算出するようにした方が好ましい。
【００７４】
油圧制御装置１１０は、ＥＣＵ１００によって制御される電磁弁としてのリニアソレノイドバルブＳＬＴ、ＳＬＵ、オンオフソレノイドバルブＳＬ、リニアソレノイドバルブＳＬ１〜ＳＬ５を備えている。油圧制御装置１１０は、ＥＣＵ１００によって制御されることにより、上記各ソレノイドバルブにより油圧回路の切り替えおよび油圧制御が行われ、自動変速機１３の各部を動作させるようになっている。したがって、油圧制御装置１１０は、各ソレノイドバルブを切り替えることにより、自動変速機１３に所望の変速段を構成させるようになっている。
【００７５】
操作パネル１２０は、ＥＣＵ１００と連結されており、ドライバーからの入力操作の受け付けや、ドライバーへの操作補助、車両の走行状態の表示等を行うようになっている。例えば、ドライバーが、操作パネル１２０に設けられたスイッチ等により走行モードを入力すると、走行モードの入力を表す信号をＥＣＵ１００の入出力インターフェースに出力するようになっている。
【００７６】
ナビゲーションシステム１７０は、地形情報を含む地図情報を記憶する地図情報記憶部、ＧＰＳ（Global Positioning System）を利用した車両１０の現在位置を取得する現在位置取得部、ドライバーへの情報表示を行う表示部を備え、車両１０の現在位置の地形情報を得るものである。また、ナビゲーションシステム１７０は、公知のカーナビゲーションシステムと同様に、ドライバーに対して現在位置や目的地への走行経路案内等を行うものである。
【００７７】
クランクセンサ１３１は、ＥＣＵ１００によって制御されることにより、クランクシャフト２４の回転数を検出して、検出した回転数に応じた検出信号をＥＣＵ１００に出力するようになっている。また、ＥＣＵ１００は、クランクセンサ１３１から出力された検出信号が表すクランクシャフト２４の回転数を、エンジン回転数Ｎｅとして取得するようになっている。
【００７８】
インプットシャフト回転数センサ１３３は、ＥＣＵ１００によって制御されることにより、後述するインプットシャフト７１の回転数を検出して、検出した回転数に応じた検出信号をＥＣＵ１００に出力するようになっている。なお、インプットシャフト７１は、後述するトルクコンバータ６０のタービン軸６２と直結されており、タービン軸６２の回転数と同一のものなので、以下では、このインプットシャフト回転数センサ１３３によって検出されたインプットシャフト回転数Ｎｍを、タービン回転数Ｎｔとする。
【００７９】
アウトプットギヤ回転数センサ１３４は、ＥＣＵ１００によって制御されることにより、後述するアウトプットギヤ７２の回転数を検出して、検出した回転数に応じた検出信号をＥＣＵ１００に出力するようになっている。
【００８０】
また、ＥＣＵ１００は、インプットシャフト回転数センサ１３３から入力した変速機構入力回転数Ｎｍと、アウトプットギヤ回転数センサ１３４から入力した変速機構出力回転数Ｎｃと、に基づいて、変速比γを算出することもできるようになっている。なお、変速比γは、インプットシャフト７１の実際の回転数Ｎｍを、アウトプットギヤ７２の実際の回転数Ｎｃで割ったものである。
【００８１】
シフトセンサ１４１は、ＥＣＵ１００によって制御されることにより、シフトレバー２１１が複数の切り替え位置のうちいずれの切り替え位置にあるかを検出し、シフトレバー２１１の切り替え位置を表す検出信号をＥＣＵ１００に出力するようになっている。
【００８２】
ここで、シフトレバー２１１は、車両１０の後方から前方に向かって、ドライブレンジ（以下、単にＤレンジという）に対応するＤポジション、中立レンジに対応するＮポジション、後進レンジに対応するＲポジション、駐車レンジに対応するＰポジションを取るようになっている。
【００８３】
シフトレバー２１１がＤレンジに位置する場合には、後述する変速機構７０の変速段が１速から６速のうち、いずれかを形成するようになっており、後述するように、ＥＣＵ１００が、これらの変速段の中から車速Ｖやスロットル開度θｔｈに基づいて変速段を選択するようになっている。
【００８４】
アクセルセンサ１４２は、ＥＣＵ１００によって制御されることにより、アクセルペダル２１２が踏み込まれた踏み込み量（以下、ストロークという）を検出して、検出したストロークに応じた検出信号をＥＣＵ１００に出力するようになっている。また、ＥＣＵ１００は、アクセルセンサ１４２から出力された検出信号が表すアクセルペダル２１２のストロークから、アクセル開度Ａｃｃを算出するようになっている。
【００８５】
したがって、アクセルセンサ１４２は、アクセルペダル２１２の踏み込み、および、踏み込み量を検出するようになっている。すなわち、アクセルセンサ１４２は、アクセル開度検出手段を構成している。
【００８６】
ＦＢセンサ１４３は、ＥＣＵ１００によって制御されることにより、フットブレーキペダル２１３が踏み込まれた踏み込み量（以下、ストロークという）を検出して、検出したストロークに応じた検出信号をＥＣＵ１００に出力するようになっている。また、ＥＣＵ１００は、ＦＢセンサ１４３から出力された検出信号が表すフットブレーキペダル２１３のストロークから、フットブレーキ踏力Ｂｆを算出するようになっている。
【００８７】
したがって、ＦＢセンサ１４３は、フットブレーキペダル２１３の踏み込みを検出するようになっている。すなわち、ＦＢセンサ１４３は、ブレーキ検出手段を構成している。また、ＦＢセンサ１４３は、フットブレーキペダル２１３の踏み込み量を検出するようになっている。すなわち、ＦＢセンサ１４３は、ブレーキ踏力検出手段を構成している。
【００８８】
なお、ＦＢセンサ１４３は、フットブレーキペダル２１３のストロークを表すフットブレーキ踏力Ｂｆではなく、フットブレーキペダル２１３のストロークに所定のしきい値、すなわち、ブレーキ踏み込み判定値Ｂｆ＿ｔｖを設け、踏み込まれたフットブレーキペダル２１３のストロークが、このしきい値を超えたか否かにより、フットブレーキオンオフ信号を出力するようにしてもよい。
【００８９】
また、ＦＢセンサ１４３は、前輪１７Ｌ、１７Ｒに設けられたブレーキ本体に与えられる油圧を検出し、このブレーキ本体に与えられる油圧を表す検出信号をＥＣＵ１００に出力するようにしてもよい。この場合も、ＦＢセンサ１４３は、ブレーキシリンダの油圧に所定のしきい値を設け、ブレーキシリンダの油圧が、このしきい値を超えたか否かにより、フットブレーキオンオフ信号を出力するようにしてもよい。
【００９０】
スロットルセンサ１４５は、ＥＣＵ１００によって制御されることにより、図示しないスロットルアクチュエータにより駆動されるエンジン１２のスロットルバルブの開度を検出して、検出した開度に応じた検出信号をＥＣＵ１００に出力するようになっている。また、ＥＣＵ１００は、スロットルセンサ１４５から出力された検出信号が表すスロットルバルブの開度を、スロットル開度θｔｈとして取得するようになっている。
【００９１】
また、ＥＣＵ１００は、スロットル開度制御マップに基づいてアクセル開度Ａｃｃによりスロットル開度θｔｈを求めるので、スロットルセンサ１４５から出力された検出信号を用いずに、上記スロットル開度制御マップにより求めたスロットル開度θｔｈを検出値として代用することもできる。ここで、ＥＣＵ１００は、エンジン１２のトルクの低下制御によりアクセル開度を変更している場合には、変更した出力低下用アクセル開度Ａｃｎによりスロットル開度θｔｈを求める。
【００９２】
前輪回転数センサ１６１は、ＥＣＵ１００によって制御されることにより、フロントドライブシャフト２２Ｌまたは２２Ｒの回転数を検出して、検出した回転数に応じた検出信号をＥＣＵ１００に出力するようになっている。また、ＥＣＵ１００は、前輪回転数センサ１６１から出力された検出信号が表すフロントドライブシャフト２２Ｌまたは２２Ｒの回転数を、駆動軸回転数Ｎｄとして取得するようになっている。
【００９３】
さらに、ＥＣＵ１００は、前輪回転数センサ１６１から取得した駆動軸回転数Ｎｄに基づいて、車速Ｖを算出するようになっている。ここで、上記車速Ｖは、通常走行路を走行している場合の車速を示すものであり、前輪１７Ｌまたは１７Ｒがスリップするような状況、例えば、悪路走行時等においては、以下に説明する車体速Ｖｒを用いる。したがって、前輪回転数センサ１６１は、車両１０の速度を検出するようになっている。すなわち、前輪回転数センサ１６１は、車速検出手段を構成している。
【００９４】
後輪回転数センサ１６２は、ＥＣＵ１００によって制御されることにより、リヤドライブシャフト２３Ｌまたは２３Ｒの回転数を検出して、検出した回転数に応じた検出信号をＥＣＵ１００に出力するようになっている。また、ＥＣＵ１００は、後輪回転数センサ１６２から出力された検出信号が表すリヤドライブシャフト２３Ｌまたは２３Ｒの回転数を、後輪回転数Ｎｒとして取得するようになっている。
【００９５】
さらに、ＥＣＵ１００は、前輪１７Ｌ、１７Ｒのみによる駆動、すなわち、前輪駆動が選択されている場合には、後輪回転数センサ１６２から取得した後輪回転数Ｎｒに基づいて、車体速Ｖｒを算出するようになっている。ここで、後輪１８Ｌ、１８Ｒは、エンジン１２によって駆動されない転動輪となっているので、後輪１８Ｌ、１８Ｒの回転数を検出することにより、車両１０の実際の車速である車体速Ｖｒを求めることができる。
【００９６】
このように、後輪回転数センサ１６２は、後輪１８Ｌ、１８Ｒの回転数、すなわち、二輪駆動における転動輪の回転数から車両１０の速度を検出するようになっている。したがって、後輪回転数センサ１６２は、車体速検出手段を構成している。
【００９７】
トランスファ入力回転数センサ１６３は、ＥＣＵ１００によって制御されることにより、トランスファ１６の入力軸の回転数ＴＲｉｎを検出して、検出した回転数に応じた検出信号をＥＣＵ１００に出力するようになっている。具体的には、ＥＣＵ１００は、後述するトランスファクラッチ５３の入力軸５４の回転数を検出するようになっている。
【００９８】
トランスファ出力回転数センサ１６４は、ＥＣＵ１００によって制御されることにより、トランスファ１６の出力軸の回転数ＴＲｏｕｔを検出して、検出した回転数に応じた検出信号をＥＣＵ１００に出力するようになっている。具体的には、ＥＣＵ１００は、プロペラシャフト２１の回転数を検出するようになっている。
【００９９】
分配ＳＷセンサ１６５は、ＥＣＵ１００によって制御されることにより、動力切り替えスイッチ２１５が二輪駆動選択の位置にあるか、四輪駆動選択の位置にあるかを検出し、動力切り替えスイッチ２１５の切り替え位置を表す検出信号をＥＣＵ１００に出力するようになっている。また、動力切り替えスイッチ２１５は、二輪駆動選択と四輪駆動選択との二者択一ではなく、前輪１７Ｌ、１７Ｒの駆動力と、後輪１８Ｌ、１８Ｒの駆動力と、の分配率を選択することができるものであってもよい。
【０１００】
傾斜検出センサ１６６は、ＥＣＵ１００によって制御されることにより、車両１０の傾斜角度を検出して、検出した傾斜角度に応じた検出信号をＥＣＵ１００に出力するようになっている。具体的には、傾斜検出センサ１６６は、車両１０の前後左右方向に揺動可能に支持された錘を備え、この錘が車両１０の前後左右の傾斜に応じて移動した変位を表す信号をＥＣＵ１００に出力するようになっている。
【０１０１】
シート位置センサ１６７は、ＥＣＵ１００によって制御されることにより、ドライバーが着座する運転席のシートの位置を検出して、検出したシート位置に応じた検出信号をＥＣＵ１００に出力するようになっている。ここで、本実施の形態において、シート位置は、前方ほど小さな値をとるものとして説明する。ここで、上記前方とは、アクセルペダル２１２、フットブレーキペダル２１３やハンドル等に近い方のことである。
【０１０２】
さらに、ＥＣＵ１００は、シート位置センサ１６７により検出された運転席のシートの位置に基づいて、悪路走行中であるか否かを判定する。具体的には、ＥＣＵ１００は、シート位置センサ１６７により検出された運転席のシートの位置が予め設定された悪路判定シート位置以下、すなわち、前方に寄っている場合には、悪路走行中であると判定し、検出された運転席のシートの位置が上記悪路判定シート位置を超えている場合には、悪路走行中でないと判定する。
【０１０３】
次に、本実施の形態における自動変速機１３の構成について、図３に示す概略ブロック構成図を参照して、説明する。
【０１０４】
図３に示すように、自動変速機１３は、エンジン１２により出力されるトルクを伝達させるトルクコンバータ６０と、入力軸であるインプットシャフト７１の回転数と出力ギヤであるアウトプットギヤ７２の回転数との変速を行う変速機構７０と、を備えている。
【０１０５】
なお、変速機構７０とフロントディファレンシャル機構１４との間には、変速機構７０からトルクを入力し回転数を落としながら駆動力を大きくしてフロントディファレンシャル機構１４に出力する減速歯車機構が設けられるものが一般的だが、本実施の形態における車両１０においては、説明を簡素化するため、減速歯車機構を設けずに、変速機構７０からフロントディファレンシャル機構１４に直接トルクを伝達するものとする。
【０１０６】
トルクコンバータ６０は、エンジン１２と変速機構７０との間に配置され、エンジン１２からトルクを入力するポンプインペラー６３と、変速機構７０にトルクを出力するタービンランナー６４と、オイルの流れの向きを変えるステータ６６と、ポンプインペラー６３とタービンランナー６４との間を直結するロックアップクラッチ６７と、を有しており、オイルを介してトルクを伝達するようになっている。
【０１０７】
ポンプインペラー６３は、エンジン１２のクランクシャフト２４に連結されている。また、ポンプインペラー６３は、エンジン１２のトルクによってクランクシャフト２４と一体に回転させられるようになっている。
【０１０８】
タービンランナー６４は、タービン軸６２に連結され、タービン軸６２は、変速機構７０に連結されている。なお、タービン軸６２は、変速機構７０の入力軸であるインプットシャフト７１と直結されている。また、タービンランナー６４は、ポンプインペラー６３の回転により押し出されたオイルの流れによって回転させられ、タービン軸６２を介して変速機構７０にエンジン１２のクランクシャフト２４の回転を出力するようになっている。
【０１０９】
ステータ６６は、ワンウェイクラッチ６５を介して非回転部材となる自動変速機１３のハウジング３１に回転可能に支持されている。また、ステータ６６は、タービンランナー６４から流出し、再び、ポンプインペラー６３に流入するオイルの方向を変え、ポンプインペラー６３をさらに回そうとする力に変えるようになっている。ステータ６６は、ワンウェイクラッチ６５により回転が阻止され、このオイルの流れる方向を変更するようになっている。
【０１１０】
また、ステータ６６は、ポンプインペラー６３とタービンランナー６４とがほぼ同じ速度で回転するようになったときには、空転し、タービンランナー６４に逆向きのトルクが働くことを防止するようになっている。
【０１１１】
ロックアップクラッチ６７は、ポンプインペラー６３とタービンランナー６４とを直結し、エンジン１２のクランクシャフト２４の回転を、タービン軸６２に機械的に直接伝達するようになっている。
【０１１２】
ここで、トルクコンバータ６０は、ポンプインペラー６３とタービンランナー６４との間でオイルを介して回転を伝達するようになっている。そのため、ポンプインペラー６３の回転を、タービンランナー６４に１００％伝達することができない。したがって、クランクシャフト２４とタービン軸６２との回転速度が近づいた場合に、ロックアップクラッチ６７を作動させて、ポンプインペラー６３とタービンランナー６４とを機械的に直結、より詳細には、クランクシャフト２４とタービン軸６２とを機械的に直結することにより、エンジン１２から変速機構７０への回転の伝達効率を高め、燃費を向上させるようにしている。
【０１１３】
また、ロックアップクラッチ６７は、所定の滑り率で滑らせるフレックスロックアップも実現できるようにしている。なお、ロックアップクラッチ６７の状態は、ＥＣＵ１００のＲＯＭに記憶されたロックアップ制御マップに基づいて、車両１０の走行状態、具体的には、車速Ｖとアクセル開度Ａｃｃに応じて、ＥＣＵ１００のＣＰＵに選択されるようになっている。また、ロックアップクラッチ６７の状態とは、上記説明したように、ロックアップクラッチ６７を解放したコンバータ状態、ロックアップクラッチ６７を締結したロックアップ状態、ロックアップクラッチ６７を滑らせたフレックスロックアップ状態、のうちのいずれかの状態である。
【０１１４】
さらに、ポンプインペラー６３には、変速機構７０の変速を行うための油圧や、各部に作動用、潤滑用および冷却用のオイルを供給するための油圧を発生させる機械式のオイルポンプ６８が設けられている。
【０１１５】
変速機構７０は、インプットシャフト７１と、アウトプットギヤ７２と、第１遊星歯車装置７３と、第２遊星歯車装置７４と、Ｃ１クラッチ７５、Ｃ２クラッチ７６と、Ｂ１ブレーキ７７、Ｂ２ブレーキ７８、Ｂ３ブレーキ７９と、Ｆワンウェイクラッチ８０と、を備えている。
【０１１６】
インプットシャフト７１は、トルクコンバータ６０のタービン軸６２に直結されている。したがって、インプットシャフト７１は、トルクコンバータ６０の出力回転を直接入力するようになっている。  
アウトプットギヤ７２は、第２遊星歯車装置７４のキャリアに連結されるとともに、フロントディファレンシャル機構１４の後述するディファレンシャルリングギヤ４２と係合し、カウンタドライブギヤとして機能する。したがって、アウトプットギヤ７２は、変速機構７０の出力回転をフロントディファレンシャル機構１４に伝達するようになっている。
【０１１７】
第１遊星歯車装置７３は、シングルピニオン型の遊星歯車機構により構成されている。第１遊星歯車装置７３は、サンギヤＳ１と、リングギヤＲ１と、ピニオンギヤＰ１と、キャリアＣＡ１と、を有している。
【０１１８】
サンギヤＳ１は、インプットシャフト７１に連結されている。したがって、サンギヤＳ１は、インプットシャフト７１を介して、トルクコンバータ６０のタービン軸６２に連結されている。リングギヤＲ１は、Ｂ３ブレーキ７９を介して自動変速機１３のハウジング３１に選択的に固定されるようになっている。
【０１１９】
ピニオンギヤＰ１は、キャリアＣＡ１に回転自在に支持されている。また、ピニオンギヤＰ１は、サンギヤＳ１およびリングギヤＲ１と係合している。キャリアＣＡ１は、Ｂ１ブレーキ７７を介してハウジング３１に選択的に固定されるようになっている。
【０１２０】
第２遊星歯車装置７４は、ラビニヨ型の遊星歯車機構により構成されている。第２遊星歯車装置７４は、サンギヤＳ２と、リングギヤＲ２、Ｒ３と、ショートピニオンギヤＰ２と、ロングピニオンギヤＰ３と、サンギヤＳ３と、キャリアＣＡ２と、キャリアＣＡ３と、を有している。
【０１２１】
サンギヤＳ２は、第１遊星歯車装置７３のキャリアＣＡ１に連結されている。リングギヤＲ２、Ｒ３は、Ｃ２クラッチ７６を介してインプットシャフト７１に選択的に連結されるようになっている。また、リングギヤＲ２、Ｒ３は、Ｂ２ブレーキ７８を介してハウジング３１に選択的に固定されるようになっている。また、リングギヤＲ２、Ｒ３は、Ｂ２ブレーキ７８と並列に設けられたＦワンウェイクラッチ８０により、インプットシャフト７１の回転方向と反対方向（以下、逆方向という）への回転が阻止されるようになっている。
【０１２２】
ショートピニオンギヤＰ２は、キャリアＣＡ２に回転自在に支持されている。また、ショートピニオンギヤＰ２は、サンギヤＳ２およびロングピニオンギヤＰ３と係合している。ロングピニオンギヤＰ３は、キャリアＣＡ３に回転自在に支持されている。また、ロングピニオンギヤＰ３は、ショートピニオンギヤＰ２、サンギヤＳ３およびリングギヤＲ２、Ｒ３と係合している。
【０１２３】
サンギヤＳ３は、Ｃ１クラッチ７５を介してインプットシャフト７１に選択的に連結されるようになっている。キャリアＣＡ２は、アウトプットギヤ７２に連結されている。キャリアＣＡ３は、キャリアＣＡ２およびアウトプットギヤ７２に連結されている。
【０１２４】
さらに、Ｂ１ブレーキ７７、Ｂ２ブレーキ７８およびＢ３ブレーキ７９は、自動変速機１３のハウジング３１に固定されている。また、Ｃ１クラッチ７５、Ｃ２クラッチ７６、Ｆワンウェイクラッチ８０、Ｂ１ブレーキ７７、Ｂ２ブレーキ７８およびＢ３ブレーキ７９（以下、特に区別しない場合は単にクラッチＣ、ブレーキＢという）は、多板式のクラッチやブレーキなど油圧アクチュエータによって係合制御される油圧式摩擦係合装置により構成されている。また、クラッチＣおよびブレーキＢは、油圧制御装置１１０のリニアソレノイドバルブＳＬ１〜ＳＬ５、ＳＬＵ、ＳＬＴ、およびオンオフソレノイドバルブＳＬの励磁、非励磁や図示しないマニュアルバルブの作動状態によって切り替えられる油圧回路に応じて、係合状態および解放状態の双方の間で状態を切り替えられるようになっている。
【０１２５】
次に、本実施の形態における自動変速機１３の変速機構７０において、各変速段を実現する摩擦係合要素の係合状態について、図４に示す作動表を参照して、説明する。
【０１２６】
図４に示すように、各変速段を実現する作動表は、各変速段を実現するために、変速機構７０の各摩擦係合要素、すなわち、クラッチＣ、ブレーキＢの係合および解放の状態を示したものである。図４において、「○」は係合を表している。「×」は解放を表している。「◎」はエンジンブレーキ時のみの係合を表している。また、「△」は駆動時のみの係合を表している。
【０１２７】
この作動表に示された組み合わせで、油圧制御装置１１０（図１参照）に設けられたリニアソレノイドバルブＳＬ１〜ＳＬ５および図示しないトランスミッションソレノイドの励磁、非励磁や電流制御によって各摩擦係合要素を作動させることにより、１速〜６速の前進変速段と、後進変速段と、が形成される。
【０１２８】
このような作動表に基づいて、ＥＣＵ１００は、例えば、１速を実現させる場合において、駆動時には、Ｃ１クラッチ７５の係合に加え、Ｆワンウェイクラッチ８０を係合させる。また、ＥＣＵ１００は、１速を実現させる場合において、エンジンブレーキをかける際には、Ｃ１クラッチ７５の係合に加え、Ｂ２ブレーキ７８を係合させる。
【０１２９】
また、ＥＣＵ１００は、後進変速段を実現する場合には、Ｂ２ブレーキ７８およびＢ３ブレーキ７９を係合させる。  
さらに、ＥＣＵ１００は、中立レンジおよび駐車レンジを実現する場合には、Ｃ１クラッチ７５、Ｃ２クラッチ７６、Ｂ１ブレーキ７７、Ｂ２ブレーキ７８、Ｂ３ブレーキ７９およびＦワンウェイクラッチ８０の全てを解放させる。このように、変速機構７０は、全ての摩擦係合要素を解放させることにより、変速機構７０の入出力間でトルク伝達が行われないニュートラル状態となる。
【０１３０】
次に、油圧制御装置１１０の各ソレノイドバルブの機能について、説明する。  
リニアソレノイドバルブＳＬＴは、各部に供給するオイルの元圧となるライン圧ＰＬの油圧制御を行うようになっている。具体的には、リニアソレノイドバルブＳＬＴは、スロットル開度θｔｈ、エンジン１２の吸入空気量Ｑａｒ、エンジン１２の冷却水温Ｔｗ、エンジン回転数Ｎｅ、インプットシャフト回転数Ｎｍ、すなわち、タービン回転数Ｎｔ、自動変速機１３および油圧制御装置１１０の油温Ｔｆ、シフトポジションＰｓｈ、シフトレンジ等に基づいて、ＥＣＵ１００によって制御され、ライン圧ＰＬを調圧するようになっている。
【０１３１】
リニアソレノイドバルブＳＬＵは、ロックアップ機構の制御を行うようになっている。具体的には、リニアソレノイドバルブＳＬＵは、トルクコンバータ６０の入力回転数であるエンジン回転数Ｎｅ、トルクコンバータ６０の出力回転数であるタービン回転数Ｎｔ、スロットル開度θｔｈ、車速Ｖ、入力トルク等に基づいて、ＥＣＵ１００によって制御され、図示しないロックアップリレーバルブ、ロックアップコントロールバルブを調圧し、ロックアップクラッチ６７を制御するようになっている。  
オンオフソレノイドバルブＳＬは、ロックアップリレーバルブの油圧の切り替えを行うようになっている。
【０１３２】
リニアソレノイドバルブＳＬ１〜ＳＬ５は、変速制御を行うようになっている。また、リニアソレノイドバルブＳＬ１およびＳＬ２は、Ｃ１クラッチ７５およびＣ２クラッチ７６の油圧を制御するようになっている。また、リニアソレノイドバルブＳＬ３、ＳＬ４およびＳＬ５は、Ｂ１ブレーキ７７、Ｂ２ブレーキ７８およびＢ３ブレーキ７９の油圧を制御するようになっている。
【０１３３】
次に、本実施の形態におけるフロントディファレンシャル機構１４およびトランスファ１６の構成について、図５に示す概略ブロック構成図を参照して、説明する。
【０１３４】
図５に示すように、フロントディファレンシャル機構１４は、中空のデフケース４１と、デフケース４１の外周に設けられたディファレンシャルリングギヤ４２と、デフケース４１の内部に設けられたピニオンシャフト４３と、デフピニオンギヤ４４ａ、４４ｂと、サイドギヤ４５Ｌ、４５Ｒと、を備えている。なお、デフピニオンギヤ４４ａ、４４ｂおよびサイドギヤ４５Ｌ、４５Ｒは、傘歯歯車である。
【０１３５】
デフケース４１は、フロントドライブシャフト２２Ｌ、２２Ｒを中心に回転自在に保持されている。ディファレンシャルリングギヤ４２は、デフケース４１の外周に設けられ、自動変速機１３のアウトプットギヤ７２と係合している。ピニオンシャフト４３は、ディファレンシャルリングギヤ４２と平行に、デフケース４１と一体回転するように固定されている。
【０１３６】
デフピニオンギヤ４４ａ、４４ｂは、ピニオンシャフト４３を中心に回転可能に設けられている。サイドギヤ４５Ｌは、フロントドライブシャフト２２Ｌと一体回転するように設けられるとともに、デフピニオンギヤ４４ａおよびデフピニオンギヤ４４ｂと係合している。同様に、サイドギヤ４５Ｒは、フロントドライブシャフト２２Ｒと一体回転するように設けられるとともに、デフピニオンギヤ４４ａおよびデフピニオンギヤ４４ｂと係合している。
【０１３７】
このため、フロントディファレンシャル機構１４は、デフピニオンギヤ４４ａ、４４ｂが回転しない場合には、サイドギヤ４５Ｌとサイドギヤ４５Ｒとが同等に回転される。一方、フロントディファレンシャル機構１４は、デフピニオンギヤ４４ａ、４４ｂが回転すると、サイドギヤ４５Ｌとサイドギヤ４５Ｒとが相対的に逆回転される。したがって、フロントディファレンシャル機構１４は、フロントドライブシャフト２２Ｌと一体となって回転するサイドギヤ４５Ｌと、フロントドライブシャフト２２Ｒと一体となって回転するサイドギヤ４５Ｒと、の回転数の差を許容し、カーブ等を走行する場合の、前輪１７Ｌと前輪１７Ｒとの回転数の差を吸収することができるようになっている。
【０１３８】
また、リヤディファレンシャル機構１５については、フロントディファレンシャル機構１４と同様の構成であるので、説明を省略する。なお、リヤディファレンシャル機構１５においては、ディファレンシャルリングギヤ４２が、自動変速機１３のアウトプットギヤ７２に代えて、プロペラシャフト２１のピニオンギヤと係合している。また、リヤディファレンシャル機構１５の左右のサイドギヤは、フロントドライブシャフト２２Ｌ、２２Ｒに代えて、リヤドライブシャフト２３Ｌ、２３Ｒと一体回転するように設けられている。
【０１３９】
トランスファ１６は、ハイポイドギヤ５１と、ハイポイドピニオン５２と、トランスファクラッチ５３と、を備えている。
【０１４０】
ハイポイドギヤ５１は、フロントディファレンシャル機構１４のデフケース４１と一体回転し、自動変速機１３からフロントディファレンシャル機構１４を介してトランスファ１６にトルクを入力するようになっている。ハイポイドピニオン５２は、例えば、ハイポイドギヤ５１とともに傘歯歯車となっており、ハイポイドギヤ５１から入力したトルクの回転方向を９０°変換するようになっている。
【０１４１】
トランスファクラッチ５３は、入力軸５４と、多板クラッチディスク５５と、多板クラッチプレート５６と、ピストン５７と、を備え、内部に油圧サーボ室５８が形成されている。また、トランスファクラッチ５３は、ハイポイドピニオン５２とプロペラシャフト２１側とをトルク伝達可能に接続するもので、これ自体は公知の油圧サーボ式の湿式多板クラッチで構成されている。
【０１４２】
入力軸５４は、ハイポイドピニオン５２と接続されており、ハイポイドピニオン５２からトルクを入力し、多板クラッチディスク５５に伝達するようになっている。多板クラッチプレート５６は、プロペラシャフト２１にトルクを伝達するようになっている。また、多板クラッチディスク５５および多板クラッチプレート５６により、多板クラッチを形成するようになっている。
【０１４３】
油圧サーボ室５８内の油圧は、油圧制御装置によって制御され、油圧サーボ室５８内に油圧が供給されることにより、ピストン５７が所定の圧力で多板クラッチディスク５５および多板クラッチプレート５６を押圧し、この押圧力によって所定のトルク伝達量が確保されるようになっている。
【０１４４】
トランスファ１６は、上記のように、前輪１７Ｌ、１７Ｒおよび後輪１８Ｌ、１８Ｒに対してエンジン１２の駆動力の分配を行うようになっている。すなわち、トランスファ１６は、動力分配装置を構成している。
【０１４５】
次に、本実施の形態の車両１０のＥＣＵ１００における悪路走行の判定方法について、説明する。  
例えば、ＥＣＵ１００は、トランスファ１６のトルクの分配状態に基づいて、現在の走行が悪路走行中であるか否かを判定する。具体的には、ＥＣＵ１００は、トランスファ入力回転数センサ１６３により検出されたトランスファ１６の入力軸回転数ＴＲｉｎと、トランスファ出力回転数センサ１６４により検出されたトランスファ１６の出力軸回転数ＴＲｏｕｔと、の入出力回転数比、あるいは、分配ＳＷセンサ１６５により検出されたトランスファ１６の動力切り替えスイッチ２１５の切り替え状態に基づいて、悪路走行中であるか否かを判定する。
【０１４６】
また、ＥＣＵ１００は、選択されている走行モードに基づいて、悪路走行中であるか否かを判定する。さらに、ＥＣＵ１００は、傾斜検出センサ１６６により検出された車両１０の傾斜角度、傾斜検出センサ１６６により検出された車両１０の傾斜角度の時間変化、すなわち、揺れ、シート位置センサ１６７により検出された運転席のシートの位置、あるいは、予めＥＥＰＲＯＭに記憶されている運転席のシートの位置との差に基づいて、悪路走行中であるか否かを判定してもよい。さらに、ＥＣＵ１００は、ナビゲーションシステム１７０により取得した現在位置の地形情報に基づいて、悪路走行中であるか否かを判定する。
【０１４７】
ＥＣＵ１００は、以上のような悪路走行の判定方法の１つ、または、複数を組み合わせて、現在の走行が悪路走行中であるか否かを判定するようになっている。
【０１４８】
以下、本発明の実施の形態における車両１０のＥＣＵ１００の特徴的な構成について、説明する。
【０１４９】
ＥＣＵ１００は、エンジン１２から前輪１７Ｌ、１７Ｒおよび後輪１８Ｌ、１８Ｒへ伝達されるトルクの伝達を遮断するようになっている。また、ＥＣＵ１００は、所定の停止条件が成立した場合にエンジン１２の自動停止を行うことにより、トルクの伝達を遮断するようになっている。したがって、ＥＣＵ１００は、エンジン１２の自動停止を行うエコラン制御機能を備えている。
【０１５０】
また、ＥＣＵ１００は、制御アクセル開度が予め設定されたアイドル判定値以下となった場合に、アイドルＳＷをオンとし、エンジン１２の自動停止、すなわち、エコラン制御機能を行うようになっている。すなわち、ＥＣＵ１００は、動力遮断手段を構成している。
【０１５１】
ＥＣＵ１００は、アクセルセンサ１４２によりアクセルペダル２１２の踏み込みが検出され、かつ、ＦＢセンサ１４３によりフットブレーキペダル２１３の踏み込みが検出された場合に、制御許可条件の成立と判定するようになっている。
【０１５２】
また、ＥＣＵ１００は、アクセルセンサ１４２によりアクセルペダル２１２の踏み込みが検出されている状態で、ＦＢセンサ１４３によりフットブレーキペダル２１３の踏み込みが検出された場合に、制御許可条件の成立と判定するようになっている。また、ＥＣＵ１００は、車両１０の減速が判定された場合に、制御許可条件の成立と判定するようになっている。すなわち、ＥＣＵ１００は、許可条件判定手段を構成している。
【０１５３】
さらに、ＥＣＵ１００は、制御許可条件が成立したと判定した場合に、アクセルセンサ１４２に検出された実アクセル開度Ａｃｃを制御アクセル開度に変換して、エンジン１２から出力されるトルクを低下させる低下制御を実行するようになっている。また、ＥＣＵ１００は、前輪回転数センサ１６１により検出された車速Ｖが予め設定された車速以上である場合に、低下制御を実行するようになっている。また、ＥＣＵ１００は、予め設定された時間以上、制御許可条件が成立したと判定した場合に、低下制御を実行するようになっている。
【０１５４】
また、ＥＣＵ１００は、アクセルセンサ１４２により検出されたアクセルペダル２１２の踏み込み量が予め設定された踏み込み量よりも大きく変化した場合に、低下制御を終了させるようになっている。また、ＥＣＵ１００は、ＦＢセンサ１４３によりフットブレーキペダル２１３が踏み込まれていないことを検出された場合に、エンジン１２から出力される駆動力の低下制御を終了させるようになっている。すなわち、ＥＣＵ１００は、出力制御手段を構成している。
【０１５５】
さらに、ＥＣＵ１００は、低下制御を実行する際、エンジンから前輪１７Ｌ、１７Ｒおよび後輪１８Ｌ、１８Ｒへ伝達されるトルクの伝達の遮断を禁止するようになっている。また、ＥＣＵ１００は、低下制御を実行する際、エンジン１２の自動停止を禁止するようになっている。
【０１５６】
また、ＥＣＵ１００は、変換する制御アクセル開度をアイドル判定値よりも大きなアクセル下限値以上とするようになっている。すなわち、ＥＣＵ１００は、動力遮断禁止手段を構成している。
【０１５７】
さらに、ＥＣＵ１００は、車両１０の状態に基づいて、減速を判定するようになっている。また、ＥＣＵ１００は、ＦＢセンサ１４３に検出されたフットブレーキペダル２１３の踏み込み量に基づいて、減速を判定するようになっている。また、ＥＣＵ１００は、後輪回転数センサ１６２に検出された転動輪となる後輪１８Ｌ、１８Ｒの回転数の変化に基づいて、減速を判定するようになっている。すなわち、ＥＣＵ１００は、減速判定手段を構成している。
【０１５８】
次に、本実施の形態における車両制御処理の動作について、図６に示すフローチャートを参照して、説明する。
【０１５９】
なお、図６に示すフローチャートは、ＥＣＵ１００のＣＰＵによって、ＲＡＭを作業領域として実行される車両制御処理のプログラムの実行内容を表す。この車両制御処理のプログラムは、ＥＣＵ１００のＲＯＭに記憶されている。また、この車両制御処理は、ＥＣＵ１００のＣＰＵによって、予め定められた時間間隔で実行されるようになっている。
【０１６０】
図６に示すように、まず、ＥＣＵ１００は、悪路走行中であるか否かを判定する（ステップＳ１１）。悪路走行中であるか否かの判定方法は、上述した悪路走行の判定方法の１つ、または、複数を組み合わせて、ＥＣＵ１００が行う。
【０１６１】
ＥＣＵ１００は、悪路走行中であると判定した場合（ステップＳ１１でＹＥＳと判定）には、エンジン１２のトルクを低下させてしまうと、ヘジテーション等が発生し、ドライバビリティが悪化するため、本車両制御処理を終了する。
【０１６２】
一方、ＥＣＵ１００は、悪路走行中でないと判定した場合（ステップＳ１１でＮＯと判定）、アクセルがオンであるか否かを判定し、アクセルがオンでなければ、本車両制御処理を終了する（ステップＳ１２）。具体的には、ＥＣＵ１００は、アクセルセンサ１４２が検出したアクセル開度Ａｃｃが、ＲＯＭに記憶されているアクセル踏み込み判定値Ａｃｃ＿ｔｖ以上であるか否かを判定し、アクセル開度Ａｃｃがアクセル踏み込み判定値Ａｃｃ＿ｔｖ以上である場合には、アクセルペダル２１２が踏み込まれている、すなわち、アクセルがオンと判定し、アクセル開度Ａｃｃがアクセル踏み込み判定値Ａｃｃ＿ｔｖ未満であれば、アクセルペダル２１２が踏み込まれていない、すなわち、アクセルがオフと判定する。
【０１６３】
ＥＣＵ１００は、アクセルがオンであると判定した場合（ステップＳ１２でＹＥＳと判定）には、ブレーキがオンであるか否かを判定し、ブレーキがオンでなければ、本車両制御処理を終了する（ステップＳ１３）。具体的には、ＥＣＵ１００は、ＦＢセンサ１４３が検出したブレーキ踏力Ｂｆが、ＲＯＭに記憶されているブレーキ踏み込み判定値Ｂｆ＿ｔｖ以上であるか否かを判定し、ブレーキ踏力Ｂｆがブレーキ踏み込み判定値Ｂｆ＿ｔｖ以上である場合には、フットブレーキペダル２１３が踏み込まれている、すなわち、ブレーキがオンと判定し、ブレーキ踏力Ｂｆがブレーキ踏み込み判定値Ｂｆ＿ｔｖ未満であれば、フットブレーキペダル２１３が踏み込まれていない、すなわち、ブレーキがオフと判定する。
【０１６４】
なお、ＥＣＵ１００は、本ブレーキオン判定処理（ステップＳ１３）時に、ＲＡＭに記憶されている今回ブレーキ情報を前回ブレーキ情報に移し、判定されたブレーキ情報を今回ブレーキ情報としてＲＡＭに記憶する。ここで、ブレーキ情報とは、ブレーキオンであるかブレーキオフであるかを表す情報である。また、ＥＣＵ１００は、アクセルがオン（ステップＳ１２でＹＥＳと判定）で、ブレーキがオン（ステップＳ１３でＹＥＳと判定）状態となったら、タイマーを始動させ、アクセルおよびブレーキの両踏み状態の継続時間を監視する。
【０１６５】
ＥＣＵ１００は、ブレーキがオンであると判定した場合（ステップＳ１３でＹＥＳと判定）には、前回ブレーキがオフであったか否かを判定し、前回ブレーキがオフでなければ、本車両制御処理を終了する（ステップＳ１４）。具体的には、ＥＣＵ１００は、ＲＡＭに記憶されている前回ブレーキ情報を読み込み、ブレーキがオフであるか否かを判定する。
【０１６６】
なお、上記アクセルオン判定処理（ステップＳ１２）、ブレーキオン判定処理（ステップＳ１３）および前回ブレーキオフ判定処理（ステップＳ１４）により、アクセルペダル２１２が踏み込まれた状態で、後からフットブレーキペダル２１３が踏み込まれたことが判定される。
【０１６７】
次に、ＥＣＵ１００は、前回ブレーキがオフであると判定した場合（ステップＳ１４でＹＥＳと判定）には、減速判定を行い、車両１０が減速していなければ、本車両制御処理を終了する（ステップＳ１５）。具体的には、ＥＣＵ１００は、前輪回転数センサ１６１により検出された回転数から算出した車速Ｖが、所定の車速以上低下したか否かを判定し、車速Ｖが所定の車速以上低下した場合には、減速しているものと判定し、車速Ｖが所定の車速以上低下していなければ、減速していないものと判定する。上記減速を判定する所定の車速は、一定の値でもよいが、車速Ｖに応じた値であることが望ましい。
【０１６８】
また、上記減速判定は、原則的にこの処理が悪路走行等ではない通常走行中の処理であるため支障はないが、悪路走行等にも対応できるようにするため、以下の処理とすることも考えられる。
【０１６９】
例えば、ＥＣＵ１００は、ＦＢセンサ１４３が検出したブレーキ踏力Ｂｆが、ＲＯＭに記憶されている減速ブレーキ判定値ＢｆＤｃ＿ｔｖ以上であるか否かを判定し、ブレーキ踏力Ｂｆが減速ブレーキ判定値ＢｆＤｃ＿ｔｖ以上である場合には、減速しているものと判定し、ブレーキ踏力Ｂｆが減速ブレーキ判定値ＢｆＤｃ＿ｔｖ未満であれば、減速していないものと判定する。
【０１７０】
また、ＥＣＵ１００は、トランスファ１６において二輪駆動が選択されている場合には、上記減速判定を、転動輪となる後輪１８Ｌ、１８Ｒの回転数を検出する後輪回転数センサ１６２が検出した回転数によって車体速Ｖｒを求め、この車体速Ｖｒの変化量によって減速を判定することもできる。なお、二輪駆動車においては、トランスファ１６が備えられておらず、常に二輪駆動で後輪１８Ｌ、１８Ｒまたは前輪１７Ｌ、１７Ｒが転動輪となるので、常時後輪回転数センサ１６２または前輪回転数センサ１６１によって車体速Ｖｒを求め、上記減速判定を適用することができる。
【０１７１】
さらに、車両１０は、車両１０の加速度を検出する加速度センサを備え、この加速度センサにより検出された加速度によって、ＥＣＵ１００が減速判定を行うようにしてもよい。
【０１７２】
ＥＣＵ１００は、減速と判定した場合（ステップＳ１５でＹＥＳと判定）には、アクセルとブレーキの両踏み状態が１０秒未満であるか否かを判定し、アクセルとブレーキの両踏み状態が１０秒以上であれば、本車両制御処理を終了する（ステップＳ１６）。ここで、アクセルとブレーキの両踏み状態が１０秒以上である場合に、本車両制御処理を終了させるのは、アクセルペダル２１２とフットブレーキペダル２１３とが常に踏まれているような場合には、エンジン１２のトルクを低下させてよいのか否かの判断が明確にできないからである。
【０１７３】
ＥＣＵ１００は、アクセルとブレーキの両踏み状態が１０秒未満である場合（ステップＳ１６でＹＥＳと判定）には、制御許可条件（ステップＳ１１〜ステップＳ１６）が一定時間継続していて、かつ、車速Ｖが７［ｋｍ／ｈ］以上であるか否かを判定し、制御許可条件が成立してまだ一定時間が継続していないか、または、車速Ｖが７［ｋｍ／ｈ］未満であれば、本車両制御処理を終了する（ステップＳ１７）。ここで、車速判定に用いる検出値は、上記のように車体速Ｖｒが好ましい。
【０１７４】
ＥＣＵ１００は、制御許可条件が一定時間継続していて、かつ、車速Ｖが７［ｋｍ／ｈ］以上であると判定した場合（ステップＳ１７でＹＥＳと判定）には、エンジン１２のトルクの低下制御処理を行う（ステップＳ１８）。具体的な低下制御処理の方法については、後述する。
【０１７５】
次に、ＥＣＵ１００は、ブレーキがオフであるか、または、アクセル開度ヒス幅が所定のヒス幅を超えた状態が所定時間継続したか否かを判定し、ブレーキがオンであり、かつ、アクセル開度ヒス幅が所定のヒス幅以下あるいは所定のヒス幅を超えても所定時間経過していない場合には、エンジントルクの低下制御処理（ステップＳ１８）に戻る（ステップＳ１９）。ここで、アクセル開度ヒス幅とは、エンジントルクの低下制御処理（ステップＳ１８）前の実際のアクセル開度Ａｃｃと、アクセルセンサ１４２の検出された現在の実際のアクセル開度Ａｃｃとの差のことを示す。
【０１７６】
ＥＣＵ１００は、ブレーキがオフであるか、または、アクセル開度ヒス幅が所定のヒス幅を超えた状態が所定時間継続したと判定した場合（ステップＳ１９でＹＥＳと判定）には、エンジン１２のトルクの復帰処理を行い、本車両制御処理を終了する（ステップＳ２０）。例えば、ＥＣＵ１００は、上記エンジントルクの低下制御処理（ステップＳ１８）において、アクセル開度を書き換えている場合には、アクセル開度をアクセルセンサ１４２が検出した実際のアクセル開度Ａｃｃに戻して、エンジン１２のトルクを通常走行時のトルクに復帰させる。
【０１７７】
次に、図７にエンジントルクの低下制御処理によるアクセル開度の変換を表すグラフを示し、ＥＣＵ１００による低下制御処理について、説明する。
【０１７８】
図７に示すように、ＥＣＵ１００は、制御許可条件、すなわち、上記フローチャートにおけるステップＳ１１〜ステップＳ１６および制御開始条件、すなわち、上記フローチャートにおけるステップＳ１７が成立すると、アクセル開度値を実際のアクセル開度Ａｃｃからエンジン１２のトルクを低下させるための出力低下用アクセル開度Ａｃｎとなるまで低下させる。これにより、実際のアクセル開度Ａｃｃによるエンジン出力よりもトルクが低下される。
【０１７９】
なお、ＥＣＵ１００は、アイドル判定値よりも大きなアクセル下限値を設定し、出力低下用アクセル開度Ａｃｎが、アクセル下限値以上となるように制御する。  
また、エンジントルクの低下速度、すなわち、実アクセル開度Ａｃｃから出力低下用アクセル開度Ａｃｎまでの変換の割合、すなわち、傾きは、車両１０の状況に応じた割合とすることができる。例えば、実アクセル開度Ａｃｃが小さい場合にはゆっくりと変換し、実アクセル開度が大きいほど早く変換することにより、出力低下用アクセル開度Ａｃｎに達するまでの時間を、同等の時間とすることができる。  
また、出力低下用アクセル開度Ａｃｎについても、固定された値とせず、車速Ｖや道路の傾斜といった車両１０の状況に応じて算出した値とすることができる。
【０１８０】
以上のように、本実施の形態における車両の制御装置は、エンジン１２から前輪１７Ｌ、１７Ｒへ伝達されるトルクの伝達を遮断する機能を備えた車両１０において、アクセルペダル２１２とフットブレーキペダル２１３との踏み込みが同時に検出された場合に、エンジン１２から出力されるトルクを低下させる低下制御を実行しつつ、低下制御の実行により発生するトルクの伝達の遮断は禁止するので、エンジン１２のトルクは低下させても車両１０が無用に停止することを防止でき、ドライバビリティの悪化を防止することができる。
【０１８１】
具体的には、本実施の形態における車両の制御装置は、所定の停止条件が成立した場合にエンジン１２の自動停止を行うエコラン制御機能を備えた車両１０において、エンジン１２から出力されるトルクを低下させる低下制御を実行する際、低下制御の実行により発生するエンジン１２の自動停止は禁止するので、無用なエンジン１２の自動停止を防止でき、ドライバビリティの悪化を防止することができる。
【０１８２】
すなわち、本実施の形態における車両の制御装置は、制御許可条件、すなわち、上記ステップＳ１１〜ステップＳ１６および制御開始条件、すなわち、上記ステップＳ１７成立の際に変換する制御アクセス開度は、エンジン１２の自動停止を行うアイドル判定値よりも大きなアクセル下限値以上となるので、制御許可条件の成立によってアクセル開度が変換されても、エンジン１２の自動停止が行われることがなく、ドライバビリティの悪化を防止することができる。
【０１８３】
（第２の実施の形態）
次に、本発明の第２の実施の形態における車両の制御装置について、説明する。なお、本実施の形態における車両の構成については、第１の実施の形態における車両１０と同様の構成であるので、同一の構成部は同一の符号を付して、説明を省略する。
【０１８４】
ここで、本発明の実施の形態における車両１０のＥＣＵ１００の特徴的な構成について、説明する。  
ＥＣＵ１００は、制御許可条件が成立したと判定した場合には、エンジン１２の自動停止を禁止するようになっている。すなわち、ＥＣＵ１００は、動力遮断禁止手段を構成している。また、第１の実施の形態と異なり、ＥＣＵ１００は、変換する制御アクセル開度をアクセル下限値にかかわらず制御アクセル開度を設定するようになっている。
【０１８５】
次に、本実施の形態における車両制御処理の動作について、図８に示すフローチャートを参照して、説明する。
【０１８６】
なお、図８に示すフローチャートは、ＥＣＵ１００のＣＰＵによって、ＲＡＭを作業領域として実行される車両制御処理のプログラムの実行内容を表す。この車両制御処理のプログラムは、ＥＣＵ１００のＲＯＭに記憶されている。また、この車両制御処理は、ＥＣＵ１００のＣＰＵによって、予め定められた時間間隔で実行されるようになっている。
【０１８７】
また、ステップＳ３１〜ステップＳ３７、ステップＳ４０〜ステップＳ４１の処理については、第１の実施の形態におけるステップＳ１１〜ステップＳ１７、ステップＳ１９〜ステップＳ２０の処理と同様の処理であるので、詳細な説明は省略する。
【０１８８】
図８に示すように、ＥＣＵ１００は、制御許可条件が一定時間継続していて、かつ、車速Ｖが７［ｋｍ／ｈ］以上であると判定した場合（ステップＳ３７でＹＥＳと判定）には、アイドルＳＷを参照するシステム制御を禁止する（ステップＳ３８）。具体的には、ＥＣＵ１００は、アイドルＳＷがオンとなっても、エンジン１２の自動停止、すなわち、エコラン制御機能の実行を禁止する。
【０１８９】
次に、ＥＣＵ１００は、エンジン１２のトルクの低下制御処理を行う（ステップＳ３９）。具体的には、ＥＣＵ１００は、アクセル開度値を実際のアクセル開度Ａｃｃからエンジン１２のトルクを低下させるための出力低下用アクセル開度Ａｃｎとなるまで低下させる。ここで、ＥＣＵ１００は、上記第１の実施の形態と異なり、出力低下用アクセル開度Ａｃｎをアクセル下限値に捉われずに設定する。
【０１９０】
このとき、出力低下用アクセル開度Ａｃｎがアイドル判定値以下となり、アイドルＳＷがオンとなっても、上記のようにアイドルＳＷを参照するシステムを禁止しているので、エコラン制御機能によるエンジン１２の自動停止処理等が発生することが防止される。
【０１９１】
ＥＣＵ１００は、エンジントルクの低下制御処理（ステップＳ３９）後、ブレーキがオフであるか、または、アクセル開度ヒス幅が所定のヒス幅を超えた状態が所定時間継続したと判定した場合（ステップＳ４０でＹＥＳと判定）には、エンジン１２のトルクの復帰処理を行って（ステップＳ４１）、アイドルＳＷを参照するシステム制御の禁止を解除して、本車両制御処理を終了する（ステップＳ４２）。
【０１９２】
以上のように、本実施の形態における車両の制御装置は、制御許可条件、すなわち、上記ステップＳ３１〜ステップＳ３６および制御開始条件、すなわち、上記ステップＳ３７が成立した場合には、アイドルＳＷを参照するシステム制御を禁止、すなわち、エンジン１２の自動停止を行うエコラン制御を禁止するので、アクセルペダル２１２とフットブレーキペダル２１３との踏み込みが同時に検出された場合に、エンジン１２から出力されるトルクを低下させる低下制御を実行しつつ、エンジン１２の自動停止が行われることがなく、ドライバビリティの悪化を防止することができる。
【０１９３】
（第３の実施の形態）
次に、本発明の第３の実施の形態における車両の制御装置について、説明する。なお、本実施の形態における車両の構成については、第１の実施の形態における車両１０と同様の構成であるので、同一の構成部は同一の符号を付して、説明を省略する。
【０１９４】
ここで、本発明の実施の形態における車両１０のＥＣＵ１００の特徴的な構成について、説明する。  
ＥＣＵ１００は、制御アクセル開度がアイドル判定値以下になった場合にアイドル状態と判定するようになっている。すなわち、ＥＣＵ１００は、アイドル判定手段を構成している。また、第２の実施の形態と同様に、ＥＣＵ１００は、変換する制御アクセル開度をアクセル下限値にかかわらず制御アクセル開度を設定するようになっている。
【０１９５】
また、ＥＣＵ１００は、アイドル状態と判定した場合に、エンジン１２の自動停止を行うようになっている。すなわち、ＥＣＵ１００は、動力遮断手段を構成している。  
さらに、ＥＣＵ１００は、低下制御の実行中、制御アクセル開度がアイドル判定値以下となってもアイドルＳＷをオンとしない、したがって、アイドル状態と判定しないようになっている。すなわち、ＥＣＵ１００は、動力遮断禁止手段を構成している。
【０１９６】
次に、本実施の形態における車両制御処理の動作について、図９に示すフローチャートを参照して、説明する。
【０１９７】
なお、図９に示すフローチャートは、ＥＣＵ１００のＣＰＵによって、ＲＡＭを作業領域として実行される車両制御処理のプログラムの実行内容を表す。この車両制御処理のプログラムは、ＥＣＵ１００のＲＯＭに記憶されている。また、この車両制御処理は、ＥＣＵ１００のＣＰＵによって、予め定められた時間間隔で実行されるようになっている。
【０１９８】
また、ステップＳ５１〜ステップＳ５７、ステップＳ６１〜ステップＳ６２の処理については、第１の実施の形態におけるステップＳ１１〜ステップＳ１７、ステップＳ１９〜ステップＳ２０の処理と同様の処理であるので、詳細な説明は省略する。
【０１９９】
図９に示すように、ＥＣＵ１００は、制御許可条件が一定時間継続していて、かつ、車速Ｖが７［ｋｍ／ｈ］以上であると判定した場合（ステップＳ５７でＹＥＳと判定）には、エンジン１２のトルクの低下制御処理を行う（ステップＳ５８）。具体的には、ＥＣＵ１００は、アクセル開度値を実際のアクセル開度Ａｃｃからエンジン１２のトルクを低下させるための出力低下用アクセル開度Ａｃｎとなるまで低下させる。ここで、ＥＣＵ１００は、第２の実施の形態と同様に、出力低下用アクセル開度Ａｃｎをアクセル下限値に捉われずに設定する。
【０２００】
次に、ＥＣＵ１００は、変換したアクセル開度、すなわち、出力低下用アクセル開度Ａｃｎがアイドル判定値以下であるか否か、すなわち、アイドルＳＷがオンとなる開度以下か否かを判定する（ステップＳ５９）。
【０２０１】
ＥＣＵ１００は、変換したアクセル開度がアイドル判定値以下であれば（ステップＳ５９でＹＥＳと判定）、アイドルＳＷをオンとしない処理、すなわち、アイドルＳＷをオフとする（ステップＳ６０）。一方、ＥＣＵ１００は、変換したアクセル開度がアイドル判定値よりも大きければ（ステップＳ５９でＮＯと判定）、何もせずに次の処理に移行する。
【０２０２】
以下、第１の実施の形態と同様に、ＥＣＵ１００は、ブレーキがオフであるか、または、アクセル開度ヒス幅が所定のヒス幅を超えた状態が所定時間継続したか否かを判定し、ブレーキがオンであり、かつ、アクセル開度ヒス幅が所定のヒス幅以下あるいは所定のヒス幅を超えても所定時間経過していない場合には、エンジントルクの低下制御処理（ステップＳ５８）に戻る（ステップＳ６１）。
【０２０３】
一方、ＥＣＵ１００は、ブレーキがオフであるか、または、アクセル開度ヒス幅が所定のヒス幅を超えた状態が所定時間継続したと判定した場合（ステップＳ６１でＹＥＳと判定）には、エンジン１２のトルクの復帰処理を行い、本車両制御処理を終了する（ステップＳ６２）。
【０２０４】
以上のように、本実施の形態における車両の制御装置は、制御許可条件、すなわち、上記ステップＳ５１〜ステップＳ５６が成立していない場合には、制御アクセル開度がアイドル判定値以下になった場合にアイドルＳＷをオンとし、アイドル状態と判定してエコラン制御機能によりエンジン１２の自動停止を行うが、低下制御の実行中はアイドルＳＷをオンとせず、アイドル状態と判定しない（上記ステップＳ６０）ので、低下制御の実行によるエンジン１２の自動停止が行われることがなく、ドライバビリティの悪化を防止することができる。
【０２０５】
（第４の実施の形態）
次に、本発明の第４の実施の形態における車両の制御装置について、説明する。なお、本実施の形態における車両の構成については、第１の実施の形態における車両１０と同様の構成であるので、同一の構成部は同一の符号を付して、説明を省略する。
【０２０６】
ここで、本発明の実施の形態における車両の特徴的な構成について、説明する。  
ブレーキ装置２４Ｌ、２４Ｒ、２５Ｌ、２５Ｒは、前輪１７Ｌ、１７Ｒ、後輪１８Ｌ、１８Ｒに対する制動を行うようになっている。すなわち、ブレーキ装置２４Ｌ、２４Ｒ、２５Ｌ、２５Ｒは、制動手段を構成している。
【０２０７】
ＥＣＵ１００は、所定の制動保持条件が成立した場合、ブレーキ装置２４Ｌ、２４Ｒ、２５Ｌ、２５Ｒに前輪１７Ｌ、１７Ｒ、後輪１８Ｌ、１８Ｒの制動を保持させる保持制御を実行することにより、エンジン１２から前輪１７Ｌ、１７Ｒおよび後輪１８Ｌ、１８Ｒへのトルクの伝達を遮断するようになっている。具体的には、ＥＣＵ１００は、制御アクセル開度がアイドル判定値以下となった場合に、上記保持制御を実行するようになっている。すなわち、ＥＣＵ１００は、動力遮断手段を構成している。
【０２０８】
また、ＥＣＵ１００は、エンジントルクの低下制御を実行する際、ブレーキ装置２４Ｌ、２４Ｒ、２５Ｌ、２５Ｒに前輪１７Ｌ、１７Ｒ、後輪１８Ｌ、１８Ｒの制動を保持させる保持制御を実行しないようになっている。具体的には、ＥＣＵ１００は、変換する制御アクセル開度をアイドル判定値よりも大きなアクセル下限値以上とするようになっている。すなわち、ＥＣＵ１００は、動力遮断禁止手段を構成している。
【０２０９】
以下、ＥＣＵ１００によってブレーキ装置２４Ｌ、２４Ｒ、２５Ｌ、２５Ｒに対して前輪１７Ｌ、１７Ｒ、後輪１８Ｌ、１８Ｒの制動を保持させる保持制御の実行をブレーキホールドという。
【０２１０】
このような構成により、本実施の形態における車両の制御装置は、第１の実施の形態におけるエコラン機能によるエンジン１２の自動停止の代わりに、所定の制動保持条件が成立した場合にブレーキホールドを行うようになっている。
【０２１１】
また、本実施の形態における車両制御処理の動作は、第１の実施の形態における車両制御処理の動作と同様、すなわち、図６に示すフローチャートを参照して説明した動作と同様のものである。
【０２１２】
したがって、第１の実施の形態と同様に、ＥＣＵ１００は、制御許可条件の成立、および、制御開始条件が成立して、エンジントルクの低下制御処理を行う際には、アクセル開度値を実際のアクセル開度Ａｃｃから、アイドル判定値よりも大きなアクセル下限値以上となる出力低下用アクセル開度Ａｃｎとなるまで低下させるようになっている。
【０２１３】
以上のように、本実施の形態における車両の制御装置は、所定の制動保持条件が成立した場合には、前輪１７Ｌ、１７Ｒ、後輪１８Ｌ、１８Ｒの制動を保持するブレーキホールドを実行するものであるが、制御許可条件成立の際に変換する制御アクセス開度は、ブレーキホールドを実行するアイドル判定値よりも大きなアクセル下限値以上となるので、制御許可条件の成立によってアクセル開度が変換されても、ブレーキホールドが行われることがなく、ドライバビリティの悪化を防止することができる。
【０２１４】
（第５の実施の形態）
次に、本発明の第５の実施の形態における車両の制御装置について、説明する。なお、本実施の形態における車両の構成については、第１の実施の形態における車両１０と同様の構成であるので、同一の構成部は同一の符号を付して、説明を省略する。
【０２１５】
ここで、本発明の実施の形態における車両１０のＥＣＵ１００の特徴的な構成について、説明する。  
ＥＣＵ１００は、制御許可条件が成立したと判定した場合には、ブレーキ装置２４Ｌ、２４Ｒ、２５Ｌ、２５Ｒに前輪１７Ｌ、１７Ｒ、後輪１８Ｌ、１８Ｒの制動を保持させる保持制御を実行しないようになっている。すなわち、ＥＣＵ１００は、動力遮断禁止手段を構成している。また、第１の実施の形態と異なり、ＥＣＵ１００は、変換する制御アクセル開度をアクセル下限値にかかわらず制御アクセル開度を設定するようになっている。
【０２１６】
このような構成により、本実施の形態における車両の制御装置は、第１の実施の形態におけるエコラン機能によるエンジン１２の自動停止の代わりに、所定の制動保持条件が成立した場合にブレーキホールドを行うようになっている。
【０２１７】
また、本実施の形態における車両制御処理の動作は、第２の実施の形態における車両制御処理の動作と同様、すなわち、図８に示すフローチャートを参照して説明した動作と同様のものである。
【０２１８】
したがって、第２の実施の形態と同様に、ＥＣＵ１００は、制御許可条件の成立、および、制御開始条件が成立した場合には、アイドルＳＷを参照するシステム制御を禁止する。ここで、本実施の形態において、アイドルＳＷを参照するシステム制御とは、ブレーキホールド機能である。したがって、ＥＣＵ１００は、アイドルＳＷがオンとなっても、ブレーキホールドの実行を禁止するようになっている。
【０２１９】
以上のように、本実施の形態における車両の制御装置は、所定の制動保持条件が成立した場合には、前輪１７Ｌ、１７Ｒ、後輪１８Ｌ、１８Ｒの制動を保持するブレーキホールドを実行するものであるが、制御許可条件が成立した場合には、ブレーキホールドの実行を禁止するので、アクセルペダル２１２とフットブレーキペダル２１３との踏み込みが同時に検出された場合に、エンジン１２から出力されるトルクを低下させる低下制御を実行しても、ブレーキホールドが行われることがなく、ドライバビリティの悪化を防止することができる。
【０２２０】
（第６の実施の形態）
次に、本発明の第６の実施の形態における車両の制御装置について、説明する。なお、本実施の形態における車両の構成については、第１の実施の形態における車両１０と同様の構成であるので、同一の構成部は同一の符号を付して、説明を省略する。
【０２２１】
ここで、本発明の実施の形態における車両１０のＥＣＵ１００の特徴的な構成について、説明する。  
ＥＣＵ１００は、制御アクセル開度がアイドル判定値以下になった場合にアイドル状態と判定するようになっている。すなわち、ＥＣＵ１００は、アイドル判定手段を構成している。また、第２の実施の形態と同様に、ＥＣＵ１００は、変換する制御アクセル開度をアクセル下限値にかかわらず制御アクセル開度を設定するようになっている。
【０２２２】
また、ＥＣＵ１００は、アイドル状態と判定した場合に、ブレーキホールドを実行するようになっている。すなわち、ＥＣＵ１００は、動力遮断手段を構成している。  
さらに、ＥＣＵ１００は、低下制御の実行中、制御アクセル開度がアイドル判定値以下となってもアイドルＳＷをオンとしない、したがって、アイドル状態と判定しないようになっている。すなわち、ＥＣＵ１００は、動力遮断禁止手段を構成している。
【０２２３】
このような構成により、本実施の形態における車両の制御装置は、第１の実施の形態におけるエコラン機能によるエンジン１２の自動停止の代わりに、アイドルＳＷがオンとなった場合にブレーキホールドを行うようになっている。
【０２２４】
また、本実施の形態における車両制御処理の動作は、第３の実施の形態における車両制御処理の動作と同様、すなわち、図９に示すフローチャートを参照して説明した動作と同様のものである。
【０２２５】
したがって、第３の実施の形態と同様に、ＥＣＵ１００は、制御許可条件の成立、および、制御開始条件が成立した場合には、アクセル開度値を実際のアクセル開度Ａｃｃから出力低下用アクセル開度Ａｃｎに変換する。このとき、出力低下用アクセル開度Ａｃｎが、アイドルＳＷをオンとするアイドル判定値以下であっても、アイドルＳＷをオンとしない。したがって、ＥＣＵ１００は、エンジントルクの低下制御処理によってアイドル状態と判定することがなく、ブレーキホールドを実行しないようになっている。
【０２２６】
以上のように、本実施の形態における車両の制御装置は、所定の制動保持条件が成立した場合には、前輪１７Ｌ、１７Ｒ、後輪１８Ｌ、１８Ｒの制動を保持するブレーキホールドを実行するものであるが、エンジントルクの低下制御処理の実行中はアイドル状態と判定しないので、低下制御の実行によるブレーキホールドが実行されることがなく、ドライバビリティの悪化を防止することができる。
【０２２７】
なお、上述した実施の形態においては、動力源としてガソリンを燃料とするエンジン１２を用いた車両１０の場合について説明したが、これに限らず、モーターを動力源とする電気自動車、水素を燃料とするエンジンを動力源とする水素自動車、あるいは、エンジンとモーターの双方を用いるハイブリッド車両等とすることもできる。この場合、トルクを低下させる動力源として、エンジン１２に限らず、モーター等の駆動力を低下させるようにしてもよい。
【０２２８】
また、上述した実施の形態においては、１つのＥＣＵを有するものとして説明したが、これに限らず、複数のＥＣＵによって構成されるものであってもよい。例えば、エンジン１２の燃焼制御を実行するＥ−ＥＣＵ、自動変速機１３の変速制御を実行するＴ−ＥＣＵ等の複数のＥＣＵによって、本実施の形態のＥＣＵ１００が構成されるものであってもよい。この場合、各ＥＣＵは、必要な情報を相互に入出力する。
【０２２９】
以上説明したように、本発明に係る車両の制御装置は、動力源から出力される駆動力を低下させる低下制御の実行により発生する動力伝達の遮断は禁止し、駆動力は低下させても車両が無用に停止することを防止して、ドライバビリティの悪化を防止することができるという効果を有し、動力源の出力の抑制制御を行う車両の制御装置等として有用である。
【符号の説明】
【０２３０】
１０  車両
１２  エンジン（動力源）
１３  自動変速機
１４  フロントディファレンシャル機構
１５  リヤディファレンシャル機構
１６  トランスファ
１７Ｌ、１７Ｒ  前輪
１８Ｌ、１８Ｒ  後輪
２１  プロペラシャフト
２２Ｌ、２２Ｒ  フロントドライブシャフト
２３Ｌ、２３Ｒ  リヤドライブシャフト
２４Ｌ、２４Ｒ、２５Ｌ、２５Ｒ  ブレーキ装置（制動手段）
５１  ハイポイドギヤ
５２  ハイポイドピニオン
５３  トランスファクラッチ
５４  入力軸
１００  ＥＣＵ（動力遮断手段、許可条件判定手段、出力制御手段、動力遮断禁止手段、アイドル判定手段、減速判定手段）
１１０  油圧制御装置
１２０  操作パネル
１３１  クランクセンサ
１４２  アクセルセンサ（アクセル開度検出手段）
１４３  ＦＢセンサ（ブレーキ検出手段、ブレーキ踏力検出手段）
１４５  スロットルセンサ
１６１  前輪回転数センサ（車速検出手段）
１６２  後輪回転数センサ（車体速検出手段）
１６３  トランスファ入力回転数センサ
１６４  トランスファ出力回転数センサ
１６５  分配ＳＷセンサ
１６６  傾斜検出センサ
１６７  シート位置センサ
１７０  ナビゲーションシステム
２１２  アクセルペダル
２１３  フットブレーキペダル
２１５  動力切り替えスイッチ
【図１】
2011074037.tif 000003
【図２】
2011074037.tif 000004
【図３】
2011074037.tif 000005
【図４】
2011074037.tif 000006
【図５】
2011074037.tif 000007
【図６】
2011074037.tif 000008
【図７】
2011074037.tif 000009
【図８】
2011074037.tif 000010
【図９】
2011074037.tif 000011
【手続補正書】
【提出日】平成23年12月7日(2011.12.7)
【手続補正１】
【補正対象書類名】明細書
【補正対象項目名】０００３
【補正方法】変更
【補正の内容】
【０００３】
発明が解決しようとする課題
［００１３］
しかしながら、このような従来の車両の制御装置においては、車両の走行状態にかかわらず、アクセルペダルとブレーキペダルとが同時に踏み込まれた場合に、一律に燃料噴射量を減少させてトルクを低減するようになっていた。そのため、エコラン制御機能やブレーキホールド機能といった他の機能への影響が考慮されておらず、ドライバーの意思にかかわらず車両の停止や、車両のヘジテーション等が発生して、ドライバビリティが損なわれてしまうという問題があった。
［００１４］
本発明は、このような従来の問題を解決するためになされたもので、ドライバビリティの悪化を防止することができる車両の制御装置を提供することを課題とする。
課題を解決するための手段
［００１５］
本発明に係る車両の制御装置は、上記課題を解決するため、動力源とアクセルペダルとブレーキペダルとを備えた車両の制御装置において、前記アクセルペダルの踏み込み量を実アクセル開度として検出するアクセル開度検出手段と、前記ブレーキペダルの踏み込みを検出するブレーキ検出手段と、前記動力源から駆動輪への動力伝達を中断させる動力伝達中断手段と、前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、前記制御許可条件の成立中に、前記動力伝達中断手段による前記動力源から前記駆動輪への動力伝達の中断を禁止する動力伝達中断禁止手段と、を備えたことを特徴とする。
［００１６］
この構成により、動力源から駆動輪へ伝達される動力伝達を中断する機能を備えた車両において、アクセルペダルとブレーキペダルとの踏み込みが同時に検出された場合に、動力源から出力される駆動力を低下させる低下制御を実行しつつ、低下制御の実行により発生する上記動力伝達の中断は禁止す
【手続補正２】
【補正対象書類名】明細書
【補正対象項目名】０００４
【補正方法】変更
【補正の内容】
【０００４】
るので、駆動力は低下させても車両が無用に停止することを防止でき、ドライバビリティの悪化を防止することができる。
［００１７］
また、本発明に係る車両の制御装置は、前記動力源が、エンジンを有し、前記動力伝達中断手段は、所定の停止条件が成立した場合に前記エンジンの自動停止を行うことにより、前記動力伝達を中断させ、前記動力伝達中断禁止手段は、前記出力制御手段により前記低下制御が実行される際、前記動力伝達中断手段による前記エンジンの自動停止を禁止することを特徴とする。
［００１８］
この構成により、所定の停止条件が成立した場合にエンジンの自動停止を行うエコラン制御機能を備えた車両において、エンジンから出力される駆動力を低下させる低下制御を実行する際、低下制御の実行により発生するエンジンの自動停止は禁止するので、無用なエンジンの自動停止を防止でき、ドライバビリティの悪化を防止することができる。
［００１９］
さらに、本発明に係る車両の制御装置は、前記動力伝達中断手段が、前記制御アクセル開度が予め設定されたアイドル判定値以下となった場合に、前記エンジンの自動停止を行い、前記動力伝達中断禁止手段は、前記出力制御手段により変換される前記制御アクセル開度を前記アイドル判定値よりも大きなアクセル下限値以上とさせることを特徴とする。
［００２０］
この構成により、制御許可条件成立の際に変換する制御アクセス開度は、エンジンの自動停止を行うアイドル判定値よりも大きなアクセル下限値以上となるので、制御許可条件の成立によってアクセル開度が変換されても、エンジンの自動停止が行われることがなく、ドライバビリティの悪化を防止することができる。
［００２１］
さらに、本発明に係る車両の制御装置は、前記動力伝達中断手段が、前記制御アクセル開度が予め設定されたアイドル判定値以下となった場合に、前記エンジンの自動停止を行い、前記動力伝達中断禁止手段は、前記許可条件判定手段により前記制御許可条件が成立したと判定された場合には、前記動力伝達中断手段によるエンジンの自動停止を禁止することを特徴とする。
［００２２］
この構成により、制御許可条件が成立した場合には、エンジンの自動停止を禁止するので、アクセルペダルとブレーキペダルとの踏み込みが同時に検出された場合に、エンジンから出力される駆動力を低下させる低下制御を実行しても、エンジンの自動停止が行われることがなく、ドライバビリティの
【手続補正３】
【補正対象書類名】明細書
【補正対象項目名】０００５
【補正方法】変更
【補正の内容】
【０００５】
悪化を防止することができる。
［００２３］
さらに、本発明に係る車両の制御装置は、前記実アクセル開度または前記制御アクセル開度が予め設定されたアイドル判定値以下になった場合にアイドル状態と判定するアイドル判定手段を備え、前記動力伝達中断手段は、前記アイドル判定手段にアイドル状態と判定された場合に、前記エンジンの自動停止を行い、前記動力伝達中断禁止手段は、前記出力制御手段による前記低下制御の実行中、前記アイドル判定手段に前記制御アクセル開度が前記アイドル判定値以下となってもアイドル状態と判定させないことを特徴とする。
［００２４］
この構成により、制御アクセル開度がアイドル判定値以下になった場合にアイドル状態と判定し、アイドル状態と判定された場合にエンジンの自動停止を行うが、低下制御の実行中はアイドル状態と判定させないので、低下制御の実行によるエンジンの自動停止が行われることがなく、ドライバビリティの悪化を防止することができる。
［００２５］
また、本発明に係る車両の制御装置は、上記課題を解決するため、動力源とアクセルペダルとブレーキペダルとを備えた車両の制御装置において、前記アクセルペダルの踏み込み量を実アクセル開度として検出するアクセル開度検出手段と、前記ブレーキペダルの踏み込みを検出するブレーキ検出手段と、前記動力源から駆動輪への動力伝達により駆動輪に駆動力が発生することを中断させる駆動力発生中断手段と、前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、前記制御許可条件の成立中に、前記駆動力発生中断手段により前記駆動輪に駆動力が発生することを中断させることを禁止する駆動力発生中断禁止手段と、前記駆動輪に対する制動を行う制動手段と、を備え、前記駆動力発生中断手段は、所定の制動保持条件が成立した場合、前記制動手段に前記駆動輪の制動を保持させる保持制御を実行することにより、前記駆動輪に駆動力が発生することを中断させ、前
【手続補正４】
【補正対象書類名】明細書
【補正対象項目名】０００６
【補正方法】変更
【補正の内容】
【０００６】
記駆動力発生中断禁止手段は、前記出力制御手段により前記低下制御が実行される際、前記駆動力発生中断手段に前記保持制御を実行させないことを特徴とする。
［００２６］
この構成により、所定の制動保持条件が成立した場合に駆動輪の制動を保持させるブレーキホールド機能を備えた車両において、エンジンから出力される駆動力を低下させる低下制御を実行する際、低下制御の実行により発生する駆動輪の保持制御は禁止するので、無用なブレーキホールドを防止でき、ドライバビリティの悪化を防止することができる。
［００２７］
さらに、本発明に係る車両の制御装置は、前記駆動力発生中断手段は、前記制御アクセル開度が予め設定されたアイドル判定値以下となった場合に、前記保持制御を実行し、前記駆動力発生中断禁止手段は、前記出力制御手段により変換される前記制御アクセル開度を前記アイドル判定値よりも大きなアクセル下限値以上とさせることを特徴とする。
［００２８］
この構成により、制御許可条件成立の際に変換する制御アクセス開度は、駆動輪の保持制御を行うアイドル判定値よりも大きなアクセル下限値以上となるので、制御許可条件の成立によってアクセル開度が変換されても、駆動輪の保持制御が行われることがなく、ドライバビリティの悪化を防止することができる。
［００２９］
さらに、本発明に係る車両の制御装置は、前記駆動力発生中断手段が、前記制御アクセル開度が予め設定されたアイドル判定値以下となった場合に、前記保持制御を実行し、前記駆動力発生中断禁止手段は、前記許可条件判定手段により前記制御許可条件が成立したと判定された場合には、前記駆動力発生中断手段に前記保持制御を実行させないことを特徴とする。
［００３０］
この構成により、制御許可条件が成立した場合には、駆動輪の保持制御を禁止するので、アクセルペダルとブレーキペダルとの踏み込みが同時に検出された場合に、エンジンから出力される駆動力を低下させる低下制御を実行しても、駆動輪の保持制御が行われることがなく、ドライバビリティの悪化を防止することができる。
［００３１］
さらに、本発明に係る車両の制御装置は、前記実アクセル開度または前記制御アクセル開度が予め設定されたアイドル判定値以下になった場合にアイドル状態と判定するアイドル判定手段を備え、前記駆動力発生中断手段は、
【手続補正５】
【補正対象書類名】明細書
【補正対象項目名】０００７
【補正方法】変更
【補正の内容】
【０００７】
前記アイドル判定手段にアイドル状態と判定された場合に、前記保持制御を実行し、前記駆動力発生中断禁止手段は、前記出力制御手段による前記低下制御の実行中、前記アイドル判定手段に前記制御アクセル開度が前記アイドル判定値以下となってもアイドル状態と判定させないことを特徴とする。
［００３２］
この構成により、制御アクセル開度がアイドル判定値以下になった場合にアイドル状態と判定し、アイドル状態と判定された場合に駆動輪の保持制御を行うが、低下制御の実行中はアイドル状態と判定させないので、低下制御の実行による駆動輪の保持制御が行われることがなく、ドライバビリティの悪化を防止することができる。
［００３３］
さらに、本発明に係る車両の制御装置は、前記許可条件判定手段が、前記アクセル開度検出手段によりアクセルペダルの踏み込みが検出されている状態で、前記ブレーキ検出手段によりブレーキペダルの踏み込みが検出された場合に、前記制御許可条件の成立と判定することを特徴とする。
［００３４］
この構成により、アクセルペダルが踏み込まれている状態でブレーキペダルが踏み込まれた場合には、一般に運転者が車両の制動を要求している走行状態であるため、アクセルペダルが踏み込まれている状態でブレーキペダルが踏み込まれたことを検出した場合には、動力源から出力される駆動力を低下させることができる。
［００３５］
さらに、本発明に係る車両の制御装置は、前記車両の状態を検出し、減速を判定する減速判定手段を備え、前記許可条件判定手段は、前記減速判定手段により車両の減速が判定された場合に、前記制御許可条件の成立と判定することを特徴とする。
［００３６］
この構成により、車両が減速している場合には、運転者が車両の制動を要求している走行状態であるため、アクセルペダルとブレーキペダルとが踏み込まれている状態で車両の減速が判定された場合には、動力源から出力される駆動力を低下させることができる。
［００３７］
さらに、本発明に係る車両の制御装置は、前記ブレーキペダルの踏み込み量を検出するブレーキ踏力検出手段を備え、前記減速判定手段は、前記ブレーキ踏力検出手段に検出されたブレーキペダルの踏み込み量に基づいて減速を判定することを特徴とする。
［００３８］
この構成により、ドライバーが車両の制動を要求している場合には、意図
【手続補正６】
【補正対象書類名】明細書
【補正対象項目名】０００８
【補正方法】変更
【補正の内容】
【０００８】
的にアクセルペダルとブレーキペダルとを同時に踏み込む場合と比較してブレーキの踏み込み量が大きくなるので、ブレーキペダルの踏み込み量に基づいてドライバーが車両の制動を要求していると判断することができる。したがって、ブレーキペダルの踏み込み量に基づいて車両の減速が判断された場合には、動力源から出力される駆動力を低下させることができる。
［００３９］
さらに、本発明に係る車両の制御装置は、転動輪の回転数から前記車両の速度を検出する車体速検出手段を備え、前記減速判定手段は、前記車体速検出手段に検出された転動輪の回転数の変化に基づいて減速を判定することを特徴とする。
［００４０］
この構成により、車両が減速している場合には、転動輪の回転数が低減するので、転動輪の回転数に基づいて車両が減速しているか否かを判断できる。したがって、転動輪の回転数の低減が検出された場合には、動力源から出力される駆動力を低下させることができる。
［００４１］
さらに、本発明に係る車両の制御装置は、前記車両の車速を検出する車速検出手段を備え、前記出力制御手段は、前記車速検出手段により検出された車速が予め設定された車速以上である場合に、前記低下制御を実行することを特徴とする。
［００４２］
この構成により、車速が予め設定された車速以上であるならば、駆動力低下制御を実行し、車速が予め設定された車速未満であるならば、坂道発進等にも対応できるように駆動力低下制御を実行せずにすることによって、必要なトルク伝達は行って、ドライバビリティの悪化を防止することができる。
［００４３］
さらに、本発明に係る車両の制御装置は、前記出力制御手段は、前記許可条件判定手段により予め設定された時間以上、前記制御許可条件が成立したと判定された場合に、前記低下制御を実行することを特徴とする。
［００４４］
この構成により、過度に低下制御が実行され、不必要に駆動力が低下することを防止できる。結果として、ドライバビリティの悪化を防止することができる。
［００４５］
さらに、本発明に係る車両の制御装置は、前記出力制御手段は、前記アクセル開度検出手段により検出された前記アクセルペダルの踏み込み量が予め設定された踏み込み量よりも大きく変化した場合に、前記低下制御を終了させることを特徴とする。
【手続補正７】
【補正対象書類名】明細書
【補正対象項目名】０００９
【補正方法】変更
【補正の内容】
【０００９】
［００４６］
この構成により、アクセルペダルの踏み込み量が大きく変化した場合には、車両に対する加速要求が発生していると判断できる。したがって、低下制御を終了し、ドライバビリティの悪化を防止することができる。
［００４７］
さらに、本発明に係る車両の制御装置は、前記出力制御手段は、前記ブレーキ検出手段により前記ブレーキペダルが踏み込まれていないことを検出された場合に、前記動力源から出力される駆動力の低下制御を終了させることを特徴とした構成を有している。
［００４８］
この構成により、不必要に駆動力の低下が継続することを防止することができるので、ドライバビリティの悪化を防止することができる。
発明の効果
［００４９］
本発明によれば、動力源から出力される駆動力を低下させる低下制御の実行により発生する動力伝達の中断は禁止し、駆動力は低下させても車両が無用に停止することを防止して、ドライバビリティの悪化を防止することができる車両の制御装置を提供することができる。
図面の簡単な説明
［００５０］
［図１］本発明の第１の実施の形態における制御装置を備えた車両の概略ブロック構成図である。
［図２］本発明の第１の実施の形態における車両制御の概略ブロック構成図である。
［図３］本発明の第１の実施の形態における自動変速機の構成を表す概略ブロック構成図である。
［図４］本発明の第１の実施の形態における各変速段を実現する摩擦係合要素の係合状態を示す作動表である。
［図５］本発明の第１の実施の形態におけるフロントディファレンシャル機構およびトランスファの構成を表す概略ブロック構成図である。
［図６］本発明の第１の実施の形態における車両制御処理を示すフローチャートである。
［図７］本発明の第１の実施の形態におけるエンジントルクの低下制御処理によるアクセル開度の変換を示すグラフである。
［図８］本発明の第２の実施の形態における車両制御処理を示すフローチャートである。
【手続補正８】
【補正対象書類名】明細書
【補正対象項目名】００１０
【補正方法】変更
【補正の内容】
【００１０】
［図９］本発明の第３の実施の形態における車両制御処理を示すフローチャートである。
発明を実施するための形態
【手続補正９】
【補正対象書類名】明細書
【補正対象項目名】００３１
【補正方法】変更
【補正の内容】
【００３１】
を組み合わせて、現在の走行が悪路走行中であるか否かを判定するようになっている。
［０１４８］
以下、本発明の実施の形態における車両１０のＥＣＵ１００の特徴的な構成について、説明する。
［０１４９］
ＥＣＵ１００は、エンジン１２から前輪１７Ｌ、１７Ｒおよび後輪１８Ｌ、１８Ｒへトルクが伝達されることを中断するようになっている。また、ＥＣＵ１００は、所定の停止条件が成立した場合にエンジン１２の自動停止を行うことにより、トルクの伝達を中断するようになっている。したがって、ＥＣＵ１００は、エンジン１２の自動停止を行うエコラン制御機能を備えている。
［０１５０］
また、ＥＣＵ１００は、制御アクセル開度が予め設定されたアイドル判定値以下となった場合に、アイドルＳＷをオンとし、エンジン１２の自動停止、すなわち、エコラン制御機能を行うようになっている。すなわち、ＥＣＵ１００は、動力伝達中断手段を構成している。
［０１５１］
ＥＣＵ１００は、アクセルセンサ１４２によりアクセルペダル２１２の踏み込みが検出され、かつ、ＦＢセンサ１４３によりフットブレーキペダル２１３の踏み込みが検出された場合に、制御許可条件の成立と判定するようになっている。
［０１５２］
また、ＥＣＵ１００は、アクセルセンサ１４２によりアクセルペダル２１２の踏み込みが検出されている状態で、ＦＢセンサ１４３によりフットブレーキペダル２１３の踏み込みが検出された場合に、制御許可条件の成立と判定するようになっている。また、ＥＣＵ１００は、車両１０の減速が判定された場合に、制御許可条件の成立と判定するようになっている。すなわち、ＥＣＵ１００は、許可条件判定手段を構成している。
［０１５３］
さらに、ＥＣＵ１００は、制御許可条件が成立したと判定した場合に、アクセルセンサ１４２に検出された実アクセル開度Ａｃｃを制御アクセル開度に変換して、エンジン１２から出力されるトルクを低下させる低下制御を実行するようになっている。また、ＥＣＵ１００は、前輪回転数センサ１６１により検出された車速Ｖが予め設定された車速以上である場合に、低下制御を実行するようになっている。また、ＥＣＵ１００は、予め設定された時間
【手続補正１０】
【補正対象書類名】明細書
【補正対象項目名】００３２
【補正方法】変更
【補正の内容】
【００３２】
以上、制御許可条件が成立したと判定した場合に、低下制御を実行するようになっている。
［０１５４］
また、ＥＣＵ１００は、アクセルセンサ１４２により検出されたアクセルペダル２１２の踏み込み量が予め設定された踏み込み量よりも大きく変化した場合に、低下制御を終了させるようになっている。また、ＥＣＵ１００は、ＦＢセンサ１４３によりフットブレーキペダル２１３が踏み込まれていないことを検出された場合に、エンジン１２から出力される駆動力の低下制御を終了させるようになっている。すなわち、ＥＣＵ１００は、出力制御手段を構成している。
［０１５５］
さらに、ＥＣＵ１００は、低下制御を実行する際、エンジンから前輪１７Ｌ、１７Ｒおよび後輪１８Ｌ、１８Ｒへのトルクの伝達の中断を禁止するようになっている。また、ＥＣＵ１００は、低下制御を実行する際、エンジン１２の自動停止を禁止するようになっている。
［０１５６］
また、ＥＣＵ１００は、変換する制御アクセル開度をアイドル判定値よりも大きなアクセル下限値以上とするようになっている。すなわち、ＥＣＵ１００は、動力伝達中断禁止手段を構成している。
［０１５７］
さらに、ＥＣＵ１００は、車両１０の状態に基づいて、減速を判定するようになっている。また、ＥＣＵ１００は、ＦＢセンサ１４３に検出されたフットブレーキペダル２１３の踏み込み量に基づいて、減速を判定するようになっている。また、ＥＣＵ１００は、後輪回転数センサ１６２に検出された転動輪となる後輪１８Ｌ、１８Ｒの回転数の変化に基づいて、減速を判定するようになっている。すなわち、ＥＣＵ１００は、減速判定手段を構成している。
［０１５８］
次に、本実施の形態における車両制御処理の動作について、図６に示すフローチャートを参照して、説明する。
［０１５９］
なお、図６に示すフローチャートは、ＥＣＵ１００のＣＰＵによって、Ｒ
【手続補正１１】
【補正対象書類名】明細書
【補正対象項目名】００３７
【補正方法】変更
【補正の内容】
【００３７】
時のトルクに復帰させる。
［０１７７］
次に、図７にエンジントルクの低下制御処理によるアクセル開度の変換を表すグラフを示し、ＥＣＵ１００による低下制御処理について、説明する。
［０１７８］
図７に示すように、ＥＣＵ１００は、制御許可条件、すなわち、上記フローチャートにおけるステップＳ１１〜ステップＳ１６および制御開始条件、すなわち、上記フローチャートにおけるステップＳ１７が成立すると、アクセル開度値を実際のアクセル開度Ａｃｃからエンジン１２のトルクを低下させるための出力低下用アクセル開度Ａｃｎとなるまで低下させる。これにより、実際のアクセル開度Ａｃｃによるエンジン出力よりもトルクが低下される。
［０１７９］
なお、ＥＣＵ１００は、アイドル判定値よりも大きなアクセル下限値を設定し、出力低下用アクセル開度Ａｃｎが、アクセル下限値以上となるように制御する。
また、エンジントルクの低下速度、すなわち、実アクセル開度Ａｃｃから出力低下用アクセル開度Ａｃｎまでの変換の割合、すなわち、傾きは、車両１０の状況に応じた割合とすることができる。例えば、実アクセル開度Ａｃｃが小さい場合にはゆっくりと変換し、実アクセル開度が大きいほど早く変換することにより、出力低下用アクセル開度Ａｃｎに達するまでの時間を、同等の時間とすることができる。
また、出力低下用アクセル開度Ａｃｎについても、固定された値とせず、車速Ｖや道路の傾斜といった車両１０の状況に応じて算出した値とすることができる。
［０１８０］
以上のように、本実施の形態における車両の制御装置は、エンジン１２から前輪１７Ｌ、１７Ｒへのトルクの伝達を中断させる機能を備えた車両１０において、アクセルペダル２１２とフットブレーキペダル２１３との踏み込みが同時に検出された場合に、エンジン１２から出力されるトルクを低下させる低下制御を実行しつつ、低下制御の実行により発生するトルクの伝達の中断は禁止するので、エンジン１２のトルクは低下させても車両１０が無用に停止することを防止でき、ドライバビリティの悪化を防止することができる。
［０１８１］
具体的には、本実施の形態における車両の制御装置は、所定の停止条件が
【手続補正１２】
【補正対象書類名】明細書
【補正対象項目名】００３８
【補正方法】変更
【補正の内容】
【００３８】
成立した場合にエンジン１２の自動停止を行うエコラン制御機能を備えた車両１０において、エンジン１２から出力されるトルクを低下させる低下制御を実行する際、低下制御の実行により発生するエンジン１２の自動停止は禁止するので、無用なエンジン１２の自動停止を防止でき、ドライバビリティの悪化を防止することができる。
［０１８２］
すなわち、本実施の形態における車両の制御装置は、制御許可条件、すなわち、上記ステップＳ１１〜ステップＳ１６および制御開始条件、すなわち、上記ステップＳ１７成立の際に変換する制御アクセス開度は、エンジン１２の自動停止を行うアイドル判定値よりも大きなアクセル下限値以上となるので、制御許可条件の成立によってアクセル開度が変換されても、エンジン１２の自動停止が行われることがなく、ドライバビリティの悪化を防止することができる。
［０１８３］
（第２の実施の形態）
次に、本発明の第２の実施の形態における車両の制御装置について、説明する。なお、本実施の形態における車両の構成については、第１の実施の形態における車両１０と同様の構成であるので、同一の構成部は同一の符号を付して、説明を省略する。
［０１８４］
ここで、本発明の実施の形態における車両１０のＥＣＵ１００の特徴的な構成について、説明する。
ＥＣＵ１００は、制御許可条件が成立したと判定した場合には、エンジン１２の自動停止を禁止するようになっている。すなわち、ＥＣＵ１００は、動力伝達中断禁止手段を構成している。また、第１の実施の形態と異なり、ＥＣＵ１００は、変換する制御アクセル開度をアクセル下限値にかかわらず制御アクセル開度を設定するようになっている。
［０１８５］
次に、本実施の形態における車両制御処理の動作について、図８に示すフ
【手続補正１３】
【補正対象書類名】明細書
【補正対象項目名】００４０
【補正方法】変更
【補正の内容】
【００４０】
えた状態が所定時間継続したと判定した場合（ステップＳ４０でＹＥＳと判定）には、エンジン１２のトルクの復帰処理を行って（ステップＳ４１）、アイドルＳＷを参照するシステム制御の禁止を解除して、本車両制御処理を終了する（ステップＳ４２）。
［０１９２］
以上のように、本実施の形態における車両の制御装置は、制御許可条件、すなわち、上記ステップＳ３１〜ステップＳ３６および制御開始条件、すなわち、上記ステップＳ３７が成立した場合には、アイドルＳＷを参照するシステム制御を禁止、すなわち、エンジン１２の自動停止を行うエコラン制御を禁止するので、アクセルペダル２１２とフットブレーキペダル２１３との踏み込みが同時に検出された場合に、エンジン１２から出力されるトルクを低下させる低下制御を実行しつつ、エンジン１２の自動停止が行われることがなく、ドライバビリティの悪化を防止することができる。
［０１９３］
（第３の実施の形態）
次に、本発明の第３の実施の形態における車両の制御装置について、説明する。なお、本実施の形態における車両の構成については、第１の実施の形態における車両１０と同様の構成であるので、同一の構成部は同一の符号を付して、説明を省略する、
［０１９４］
ここで、本発明の実施の形態における車両１０のＥＣＵ１００の特徴的な構成について、説明する。
ＥＣＵ１００は、制御アクセル開度がアイドル判定値以下になった場合にアイドル状態と判定するようになっている。すなわち、ＥＣＵ１００は、アイドル判定手段を構成している。また、第２の実施の形態と同様に、ＥＣＵ１００は、変換する制御アクセル開度をアクセル下限値にかかわらず制御アクセル開度を設定するようになっている。
［０１９５］
また、ＥＣＵ１００は、アイドル状態と判定した場合に、エンジン１２の自動停止を行うようになっている。すなわち、ＥＣＵ１００は、動力伝達中断手段を構成している。
さらに、ＥＣＵ１００は、低下制御の実行中、制御アクセル開度がアイドル判定値以下となってもアイドルＳＷをオンとしない、したがって、アイドル状態と判定しないようになっている。すなわち、ＥＣＵ１００は、動力伝達中断
【手続補正１４】
【補正対象書類名】明細書
【補正対象項目名】００４１
【補正方法】変更
【補正の内容】
【００４１】
禁止手段を構成している。
［０１９６］
次に、本実施の形態における車両制御処理の動作について、図９に示すフローチャートを参照して、説明する。
［０１９７］
なお、図９に示すフローチャートは、ＥＣＵ１００のＣＰＵによって、ＲＡＭを作業領域として実行される車両制御処理のプログラムの実行内容を表す。この車両制御処理のプログラムは、ＥＣＵ１００のＲＯＭに記憶されている。また、この車両制御処理は、ＥＣＵ１００のＣＰＵによって、予め定められた時間間隔で実行されるようになっている。
［０１９８］
また、ステップＳ５１〜ステップＳ５７、ステップＳ６１〜ステップＳ６２の処理については、第１の実施の形態におけるステップＳ１１〜ステップＳ１７、ステップＳ１９〜ステップＳ２０の処理と同様の処理であるので、詳細な説明は省略する。
［０１９９］
図９に示すように、ＥＣＵ１００は、制御許可条件が一定時間継続していて、かつ、車速Ｖが７［ｋｍ／ｈ］以上であると判定した場合（ステップＳ５７でＹＥＳと判定）には、エンジン１２のトルクの低下制御処理を行う（ステップＳ５８）。具体的には、ＥＣＵ１００は、アクセル開度値を実際のアクセル開度Ａｃｃからエンジン１２のトルクを低下させるための出力低下用アクセル開度Ａｃｎとなるまで低下させる。ここで、ＥＣＵ１００は、第２の実施の形態と同様に、出力低下用アクセル開度Ａｃｎをアクセル下限値に捉われずに設定する。
［０２００］
次に、ＥＣＵ１００は、変換したアクセル開度、すなわち、出力低下用アクセル開度Ａｃｎがアイドル判定値以下であるか否か、すなわち、アイドルＳＷがオンとなる開度以下か否かを判定する（ステップＳ５９）。
［０２０１］
ＥＣＵ１００は、変換したアクセル開度がアイドル判定値以下であれば（ステップＳ５９でＹＥＳと判定）、アイドルＳＷをオンとしない処理、すなわち、アイドルＳＷをオフとする（ステップＳ６０）。一方、ＥＣＵ１００
【手続補正１５】
【補正対象書類名】明細書
【補正対象項目名】００４３
【補正方法】変更
【補正の内容】
【００４３】
後輪１８Ｌ、１８Ｒに対する制動を行うようになっている。すなわち、ブレーキ装置２４Ｌ、２４Ｒ、２５Ｌ、２５Ｒは、制動手段を構成している。
［０２０７］
ＥＣＵ１００は、所定の制動保持条件が成立した場合、ブレーキ装置２４Ｌ、２４Ｒ、２５Ｌ、２５Ｒに前輪１７Ｌ、１７Ｒ、後輪１８Ｌ、１８Ｒの制動を保持させる保持制御を実行することにより、エンジン１２からのトルクの伝達により前輪１７Ｌ、１７Ｒおよび後輪１８Ｌ、１８Ｒに駆動力が発生することを中断させるようになっている。具体的には、ＥＣＵ１００は、制御アクセル開度がアイドル判定値以下となった場合に、上記保持制御を実行するようになっている。すなわち、ＥＣＵ１００は、駆動力発生中断手段を構成している。
［０２０８］
また、ＥＣＵ１００は、エンジントルクの低下制御を実行する際、ブレーキ装置２４Ｌ、２４Ｒ、２５Ｌ、２５Ｒに前輪１７Ｌ、１７Ｒ、後輪１８Ｌ、１８Ｒの制動を保持させる保持制御を実行しないようになっている。具体的には、ＥＣＵ１００は、変換する制御アクセル開度をアイドル判定値よりも大きなアクセル下限値以上とするようになっている。すなわち、ＥＣＵ１００は、駆動力発生中断禁止手段を構成している。
［０２０９］
以下、ＥＣＵ１００によってブレーキ装置２４Ｌ、２４Ｒ、２５Ｌ、２５Ｒに対して前輪１７Ｌ、１７Ｒ、後輪１８Ｌ、１８Ｒの制動を保持させる保持制御の実行をブレーキホールドという。
［０２１０］
このような構成により、本実施の形態における車両の制御装置は、第１の実施の形態におけるエコラン機能によるエンジン１２の自動停止の代わりに、所定の制動保持条件が成立した場合にブレーキホールドを行うようになっている。
［０２１１］
また、本実施の形態における車両制御処理の動作は、第１の実施の形態における車両制御処理の動作と同様、すなわち、図６に示すフローチャートを参照して説明した動作と同様のものである。
［０２１２］
したがって、第１の実施の形態と同様に、ＥＣＵ１００は、制御許可条件の成立、および、制御開始条件が成立して、エンジントルクの低下制御処理を行う際には、アクセル開度値を実際のアクセル開度Ａｃｃから、アイドル判定値よりも大きなアクセル下限値以上となる出力低下用アクセル開度Ａｃ
【手続補正１６】
【補正対象書類名】明細書
【補正対象項目名】００４４
【補正方法】変更
【補正の内容】
【００４４】
ｎとなるまで低下させるようになっている。
［０２１３］
以上のように、本実施の形態における車両の制御装置は、所定の制動保持条件が成立した場合には、前輪１７Ｌ、１７Ｒ、後輪１８Ｌ、１８Ｒの制動を保持するブレーキホールドを実行するものであるが、制御許可条件成立の際に変換する制御アクセス開度は、ブレーキホールドを実行するアイドル判定値よりも大きなアクセル下限値以上となるので、制御許可条件の成立によってアクセル開度が変換されても、ブレーキホールドが行われることがなく、ドライバビリティの悪化を防止することができる。
［０２１４］
（第５の実施の形態）
次に、本発明の第５の実施の形態における車両の制御装置について、説明する。なお、本実施の形態における車両の構成については、第１の実施の形態における車両１０と同様の構成であるので、同一の構成部は同一の符号を付して、説明を省略する。
［０２１５］
ここで、本発明の実施の形態における車両１０のＥＣＵ１００の特徴的な構成について、説明する。
ＥＣＵ１００は、制御許可条件が成立したと判定した場合には、ブレーキ装置２４Ｌ、２４Ｒ、２５Ｌ、２５Ｒに前輪１７Ｌ、１７Ｒ、後輪１８Ｌ、１８Ｒの制動を保持させる保持制御を実行しないようになっている。すなわち、ＥＣＵ１００は、駆動力発生中断禁止手段を構成している。また、第１の実施の形態と異なり、ＥＣＵ１００は、変換する制御アクセル開度をアクセル下限値にかかわらず制御アクセル開度を設定するようになっている。
［０２１６］
このような構成により、本実施の形態における車両の制御装置は、第１の実施の形態におけるエコラン機能によるエンジン１２の自動停止の代わりに、所定の制動保持条件が成立した場合にブレーキホールドを行うようになっている。
［０２１７］
また、本実施の形態における車両制御処理の動作は、第２の実施の形態における車両制御処理の動作と同様、すなわち、図８に示すフローチャートを
【手続補正１７】
【補正対象書類名】明細書
【補正対象項目名】００４６
【補正方法】変更
【補正の内容】
【００４６】
ドを実行するようになっている。すなわち、ＥＣＵ１００は、駆動力発生中断手段を構成している。
さらに、ＥＣＵ１００は、低下制御の実行中、制御アクセル開度がアイドル判定値以下となってもアイドルＳＷをオンとしない、したがって、アイドル状態と判定しないようになっている。すなわち、ＥＣＵ１００は、駆動力発生中断禁止手段を構成している。
［０２２３］
このような構成により、本実施の形態における車両の制御装置は、第１の実施の形態におけるエコラン機能によるエンジン１２の自動停止の代わりに、アイドルＳＷがオンとなった場合にブレーキホールドを行うようになっている。
［０２２４］
また、本実施の形態における車両制御処理の動作は、第３の実施の形態における車両制御処理の動作と同様、すなわち、図９に示すフローチャートを参照して説明した動作と同様のものである。
［０２２５］
したがって、第３の実施の形態と同様に、ＥＣＵ１００は、制御許可条件の成立、および、制御開始条件が成立した場合には、アクセル開度値を実際のアクセル開度Ａｃｃから出力低下用アクセル開度Ａｃｎに変換する。このとき、出力低下用アクセル開度Ａｃｎが、アイドルＳＷをオンとするアイドル判定値以下であっても、アイドルＳＷをオンとしない。したがって、ＥＣＵ１００は、エンジントルクの低下制御処理によってアイドル状態と判定することがなく、ブレーキホールドを実行しないようになっている。
［０２２６］
以上のように、本実施の形態における車両の制御装置は、所定の制動保持条件が成立した場合には、前輪１７Ｌ、１７Ｒ、後輪１８Ｌ、１８Ｒの制動を保持するブレーキホールドを実行するものであるが、エンジントルクの低下制御処理の実行中はアイドル状態と判定しないので、低下制御の実行によるブレーキホールドが実行されることがなく、ドライバビリティの悪化を防止することができる。
［０２２７］
なお、上述した実施の形態においては、動力源としてガソリンを燃料とするエンジン１２を用いた車両１０の場合について説明したが、これに限らず、モーターを動力源とする電気自動車、水素を燃料とするエンジンを動力源とする水素自動車、あるいは、エンジンとモーターの双方を用いるハイブリ
【手続補正１８】
【補正対象書類名】明細書
【補正対象項目名】００４７
【補正方法】変更
【補正の内容】
【００４７】
ッド車両等とすることもできる。この場合、トルクを低下させる動力源として、エンジン１２に限らず、モーター等の駆動力を低下させるようにしてもよい。
［０２２８］
また、上述した実施の形態においては、１つのＥＣＵを有するものとして説明したが、これに限らず、複数のＥＣＵによって構成されるものであってもよい。例えば、エンジン１２の燃焼制御を実行するＥ−ＥＣＵ、自動変速機１３の変速制御を実行するＴ−ＥＣＵ等の複数のＥＣＵによって、本実施の形態のＥＣＵ１００が構成されるものであってもよい。この場合、各ＥＣＵは、必要な情報を相互に入出力する。
［０２２９］
以上説明したように、本発明に係る車両の制御装置は、動力源から出力される駆動力を低下させる低下制御の実行により発生する動力伝達の中断は禁止し、駆動力は低下させても車両が無用に停止することを防止して、ドライバビリティの悪化を防止することができるという効果を有し、動力源の出力の抑制制御を行う車両の制御装置等として有用である。
符号の説明
［０２３０］
１０  車両
１２  エンジン
１３  自動変速機
１４  フロントディファレンシャル機構
１５  リヤディファレンシャル機構
１６  トランスファ
１７Ｌ、１７Ｒ  前輪
１８Ｌ、１８Ｒ  後輪
２１  プロペラシャフト
２２Ｌ、２２Ｒ  フロントドライブシャフト
２３Ｌ、２３Ｒ  リヤドライブシャフト
２４Ｌ、２４Ｒ、２５Ｌ、２５Ｒ  ブレーキ装置
５１  ハイポイドギヤ
５２  ハイポイドピニオン
５３  トランスファクラッチ
５４  入力軸
【手続補正１９】
【補正対象書類名】明細書
【補正対象項目名】００４８
【補正方法】変更
【補正の内容】
【００４８】
１００  ＥＣＵ
１１０  油圧制御装置
１２０  操作パネル
１３１  クランクセンサ
１４２  アクセルセンサ
１４３  ＦＢセンサ
１４５  スロットルセンサ
１６１  前輪回転数センサ
１６２  後輪回転数センサ
１６３  トランスファ入力回転数センサ
１６４  トランスファ出力回転数センサ
１６５  分配ＳＷセンサ
１６６  傾斜検出センサ
１６７  シート位置センサ
１７０  ナビゲーションシステム
２１２  アクセルペダル
２１３  フットブレーキペダル
２１５  動力切り替えスイッチ
【手続補正２０】
【補正対象書類名】特許請求の範囲
【補正対象項目名】全文
【補正方法】変更
【補正の内容】
【特許請求の範囲】
【請求項１】
動力源とアクセルペダルとブレーキペダルとを備えた車両の制御装置において、
前記アクセルペダルの踏み込み量を実アクセル開度として検出するアクセル開度検出手段と、
前記ブレーキペダルの踏み込みを検出するブレーキ検出手段と、
前記動力源から駆動輪への動力伝達を中断させる動力伝達中断手段と、
前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、
前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、
前記制御許可条件の成立中に、前記動力伝達中断手段による前記動力源から前記駆動輪への動力伝達の中断を禁止する動力伝達中断禁止手段と、
を備えたことを特徴とする車両の制御装置。
【請求項２】
前記動力源は、エンジンを有し、
前記動力伝達中断手段は、所定の停止条件が成立した場合に前記エンジンの自動停止を行うことにより、前記動力伝達を中断させ、
前記動力伝達中断禁止手段は、前記出力制御手段により前記低下制御が実行される際、前記動力伝達中断手段による前記エンジンの自動停止を禁止することを特徴とする請求項１に記載の車両の制御装置。
【請求項３】
前記動力伝達中断手段は、前記制御アクセル開度が予め設定されたアイドル判定値以下となった場合に、前記エンジンの自動停止を行い、
前記動力伝達中断禁止手段は、前記出力制御手段により変換される前記制御アクセル開度を前記アイドル判定値よりも大きなアクセル下限値以上とさせることを特徴とする請求項２に記載の車両の制御装置。
【請求項４】
前記動力伝達中断手段は、前記制御アクセル開度が予め設定されたアイドル判定値以下となった場合に、前記エンジンの自動停止を行い、
前記動力伝達中断禁止手段は、前記許可条件判定手段により前記制御許可条件が成立したと判定された場合には、前記動力伝達中断手段によるエンジンの自動停止を禁止することを特徴とする請求項２に記載の車両の制御装置。
【請求項５】
前記実アクセル開度または前記制御アクセル開度が予め設定されたアイドル判定値以下になった場合にアイドル状態と判定するアイドル判定手段を備え、
前記動力伝達中断手段は、前記アイドル判定手段にアイドル状態と判定された場合に、前記エンジンの自動停止を行い、
前記動力伝達中断禁止手段は、前記出力制御手段による前記低下制御の実行中、前記アイドル判定手段に前記制御アクセル開度が前記アイドル判定値以下となってもアイドル状態と判定させないことを特徴とする請求項２に記載の車両の制御装置。
【請求項６】
動力源とアクセルペダルとブレーキペダルとを備えた車両の制御装置において、
前記アクセルペダルの踏み込み量を実アクセル開度として検出するアクセル開度検出手段と、
前記ブレーキペダルの踏み込みを検出するブレーキ検出手段と、
前記動力源から駆動輪への動力伝達により駆動輪に駆動力が発生することを中断させる駆動力発生中断手段と、
前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、
前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、
前記制御許可条件の成立中に、前記駆動力発生中断手段により前記駆動輪に駆動力が発生することを中断させることを禁止する駆動力発生中断禁止手段と、
前記駆動輪に対する制動を行う制動手段と、を備え、
前記駆動力発生中断手段は、所定の制動保持条件が成立した場合、前記制動手段に前記駆動輪の制動を保持させる保持制御を実行することにより、前記駆動輪に駆動力が発生することを中断させ、
前記駆動力発生中断禁止手段は、前記出力制御手段により前記低下制御が実行される際、前記駆動力発生中断手段に前記保持制御を実行させないことを特徴とする車両の制御装置。
【請求項７】
前記駆動力発生中断手段は、前記制御アクセル開度が予め設定されたアイドル判定値以下となった場合に、前記保持制御を実行し、
前記駆動力発生中断禁止手段は、前記出力制御手段により変換される前記制御アクセル開度を前記アイドル判定値よりも大きなアクセル下限値以上とさせることを特徴とする請求項６に記載の車両の制御装置。
【請求項８】
前記駆動力発生中断手段は、前記制御アクセル開度が予め設定されたアイドル判定値以下となった場合に、前記保持制御を実行し、
前記駆動力発生中断禁止手段は、前記許可条件判定手段により前記制御許可条件が成立したと判定された場合には、前記駆動力発生中断手段に前記保持制御を実行させないことを特徴とする請求項６に記載の車両の制御装置。
【請求項９】
前記実アクセル開度または前記制御アクセル開度が予め設定されたアイドル判定値以下になった場合にアイドル状態と判定するアイドル判定手段を備え、
前記駆動力発生中断手段は、前記アイドル判定手段にアイドル状態と判定された場合に、前記保持制御を実行し、
前記駆動力発生中断禁止手段は、前記出力制御手段による前記低下制御の実行中、前記アイドル判定手段に前記制御アクセル開度が前記アイドル判定値以下となってもアイドル状態と判定させないことを特徴とする請求項６に記載の車両の制御装置。
【請求項１０】
前記許可条件判定手段は、前記アクセル開度検出手段によりアクセルペダルの踏み込みが検出されている状態で、前記ブレーキ検出手段によりブレーキペダルの踏み込みが検出された場合に、前記制御許可条件の成立と判定することを特徴とする請求項１から請求項９のいずれか１の請求項に記載の車両の制御装置。
【請求項１１】
前記車両の状態を検出し、減速を判定する減速判定手段を備え、
前記許可条件判定手段は、前記減速判定手段により車両の減速が判定された場合に、前記制御許可条件の成立と判定することを特徴とする請求項１から請求項１０のいずれか１の請求項に記載の車両の制御装置。
【請求項１２】
前記ブレーキペダルの踏み込み量を検出するブレーキ踏力検出手段を備え、
前記減速判定手段は、前記ブレーキ踏力検出手段に検出されたブレーキペダルの踏み込み量に基づいて減速を判定することを特徴とする請求項１１に記載の車両の制御装置。
【請求項１３】
転動輪の回転数から前記車両の速度を検出する車体速検出手段を備え、
前記減速判定手段は、前記車体速検出手段に検出された転動輪の回転数の変化に基づいて減速を判定することを特徴とする請求項１１に記載の車両の制御装置。
【請求項１４】
前記車両の車速を検出する車速検出手段を備え、
前記出力制御手段は、前記車速検出手段により検出された車速が予め設定された車速以上である場合に、前記低下制御を実行することを特徴とする請求項１から請求項１３のいずれか１の請求項に記載の車両の制御装置。
【請求項１５】
前記出力制御手段は、前記許可条件判定手段により予め設定された時間以上、前記制御許可条件が成立したと判定された場合に、前記低下制御を実行することを特徴とする請求項１から請求項１４のいずれか１の請求項に記載の車両の制御装置。
【請求項１６】
前記出力制御手段は、前記アクセル開度検出手段により検出された前記アクセルペダルの踏み込み量が予め設定された踏み込み量よりも大きく変化した場合に、前記低下制御を終了させることを特徴とする請求項１から請求項１５のいずれか１の請求項に記載の車両の制御装置。
【請求項１７】
前記出力制御手段は、前記ブレーキ検出手段により前記ブレーキペダルが踏み込まれていないことを検出された場合に、前記動力源から出力される駆動力の低下制御を終了させることを特徴とする請求項１から請求項１６のいずれか１の請求項に記載の車両の制御装置。
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
動力源とアクセルペダルとブレーキペダルとを備えた車両の制御装置において、
前記アクセルペダルの踏み込み量を実アクセル開度として検出するアクセル開度検出手段と、
前記ブレーキペダルの踏み込みを検出するブレーキ検出手段と、
前記動力源から駆動輪へ伝達される動力の発生を中断させる動力発生中断手段と、
前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、
前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、
前記制御許可条件の成立中か否かに応じて、前記動力発生中断手段による前記動力源から前記駆動輪へ伝達される動力の発生の中断の禁止の有無を切替える動力発生中断禁止手段と、
を備えたことを特徴とする車両の制御装置。
【請求項２】
前記動力源は、エンジンを有し、
前記動力発生中断手段は、所定の停止条件が成立した場合に前記エンジンの自動停止を行うことにより、前記伝達される動力の発生を中断させ、
前記動力発生中断禁止手段は、前記出力制御手段により前記低下制御が実行される際、前記動力発生中断手段による前記エンジンの自動停止を禁止することを特徴とする請求項１に記載の車両の制御装置。
【請求項３】
前記動力発生中断手段は、前記制御アクセル開度が予め設定されたアイドル判定値以下となった場合に、前記エンジンの自動停止を行い、
前記動力発生中断禁止手段は、前記出力制御手段により変換される前記制御アクセル開度を前記アイドル判定値よりも大きなアクセル下限値以上とさせることを特徴とする請求項２に記載の車両の制御装置。
【請求項４】
前記動力発生中断手段は、前記制御アクセル開度が予め設定されたアイドル判定値以下となった場合に、前記エンジンの自動停止を行い、
前記動力発生中断禁止手段は、前記許可条件判定手段により前記制御許可条件が成立したと判定された場合には、前記動力発生中断手段によるエンジンの自動停止を禁止することを特徴とする請求項２に記載の車両の制御装置。
【請求項５】
前記実アクセル開度が予め設定されたアイドル判定値以下になった場合にアイドル状態と判定するアイドル判定手段を備え、
前記動力発生中断手段は、前記アイドル判定手段にアイドル状態と判定された場合に、前記エンジンの自動停止を行い、
前記動力発生中断禁止手段は、前記出力制御手段による前記低下制御の実行中、前記アイドル判定手段に前記制御アクセル開度が前記アイドル判定値以下となってもアイドル状態と判定させないことを特徴とする請求項２に記載の車両の制御装置。
【請求項６】
動力源とアクセルペダルとブレーキペダルとを備えた車両の制御装置において、
前記アクセルペダルの踏み込み量を実アクセル開度として検出するアクセル開度検出手段と、
前記ブレーキペダルの踏み込みを検出するブレーキ検出手段と、
前記動力源から駆動輪への動力伝達により駆動輪に駆動力が発生することを中断させる駆動力発生中断手段と、
前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、
前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、
前記制御許可条件の成立中か否かに応じて、前記駆動力発生中断手段により前記駆動輪に駆動力が発生することを中断させることに対する禁止の有無を切替える駆動力発生中断禁止手段と、
前記駆動輪に対する制動を行う制動手段と、を備え、
前記駆動力発生中断手段は、所定の制動保持条件が成立した場合、前記制動手段に前記駆動輪の制動を保持させる保持制御を実行することにより、前記駆動輪に駆動力が発生することを中断させ、
前記駆動力発生中断禁止手段は、前記出力制御手段により前記低下制御が実行される際、前記駆動力発生中断手段に前記保持制御を実行させないことを特徴とする車両の制御装置。
【請求項７】
前記駆動力発生中断手段は、前記制御アクセル開度が予め設定されたアイドル判定値以下となった場合に、前記保持制御を実行し、
前記駆動力発生中断禁止手段は、前記出力制御手段により変換される前記制御アクセル開度を前記アイドル判定値よりも大きなアクセル下限値以上とさせることを特徴とする請求項６に記載の車両の制御装置。
【請求項８】
前記駆動力発生中断手段は、前記制御アクセル開度が予め設定されたアイドル判定値以下となった場合に、前記保持制御を実行し、
前記駆動力発生中断禁止手段は、前記許可条件判定手段により前記制御許可条件が成立したと判定された場合には、前記駆動力発生中断手段に前記保持制御を実行させないことを特徴とする請求項６に記載の車両の制御装置。
【請求項９】
前記実アクセル開度が予め設定されたアイドル判定値以下になった場合にアイドル状態と判定するアイドル判定手段を備え、
前記駆動力発生中断手段は、前記アイドル判定手段にアイドル状態と判定された場合に、前記保持制御を実行し、
前記駆動力発生中断禁止手段は、前記出力制御手段による前記低下制御の実行中、前記アイドル判定手段に前記制御アクセル開度が前記アイドル判定値以下となってもアイドル状態と判定させないことを特徴とする請求項６に記載の車両の制御装置。
【請求項１０】
前記許可条件判定手段は、前記アクセル開度検出手段によりアクセルペダルの踏み込みが検出されている状態で、前記ブレーキ検出手段によりブレーキペダルの踏み込みが検出された場合に、前記制御許可条件の成立と判定することを特徴とする請求項１から請求項９のいずれか１の請求項に記載の車両の制御装置。
【請求項１１】
前記車両の状態を検出し、減速を判定する減速判定手段を備え、
前記許可条件判定手段は、前記減速判定手段により車両の減速が判定された場合に、前記制御許可条件の成立と判定することを特徴とする請求項１から請求項１０のいずれか１の請求項に記載の車両の制御装置。
【請求項１２】
前記ブレーキペダルの踏み込み量を検出するブレーキ踏力検出手段を備え、
前記減速判定手段は、前記ブレーキ踏力検出手段に検出されたブレーキペダルの踏み込み量に基づいて減速を判定することを特徴とする請求項１１に記載の車両の制御装置。
【請求項１３】
転動輪の回転数から前記車両の速度を検出する車体速検出手段を備え、
前記減速判定手段は、前記車体速検出手段に検出された転動輪の回転数の変化に基づいて減速を判定することを特徴とする請求項１１に記載の車両の制御装置。
【請求項１４】
前記車両の車速を検出する車速検出手段を備え、
前記出力制御手段は、前記車速検出手段により検出された車速が予め設定された車速以上である場合に、前記低下制御を実行することを特徴とする請求項１から請求項１３のいずれか１の請求項に記載の車両の制御装置。
【請求項１５】
前記出力制御手段は、前記許可条件判定手段により予め設定された時間以上、前記制御許可条件が成立したと判定された場合に、前記低下制御を実行することを特徴とする請求項１から請求項１４のいずれか１の請求項に記載の車両の制御装置。
【請求項１６】
前記出力制御手段は、前記アクセル開度検出手段により検出された前記アクセルペダルの踏み込み量が予め設定された踏み込み量よりも大きく変化した場合に、前記低下制御を終了させることを特徴とする請求項１から請求項１５のいずれか１の請求項に記載の車両の制御装置。
【請求項１７】
前記出力制御手段は、前記ブレーキ検出手段により前記ブレーキペダルが踏み込まれていないことを検出された場合に、前記動力源から出力される駆動力の低下制御を終了させることを特徴とする請求項１から請求項１６のいずれか１の請求項に記載の車両の制御装置。
【手続補正２】
【補正対象書類名】明細書
【補正対象項目名】００１５
【補正方法】変更
【補正の内容】
【００１５】
本発明に係る車両の制御装置は、上記課題を解決するため、動力源とアクセルペダルとブレーキペダルとを備えた車両の制御装置において、前記アクセルペダルの踏み込み量を実アクセル開度として検出するアクセル開度検出手段と、前記ブレーキペダルの踏み込みを検出するブレーキ検出手段と、前記動力源から駆動輪へ伝達される動力の発生を中断させる動力発生中断手段と、前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、前記制御許可条件の成立中か否かに応じて、前記動力発生中断手段による前記動力源から前記駆動輪へ伝達される動力の発生の中断の禁止の有無を切替える動力発生中断禁止手段と、を備えたことを特徴とする。
【手続補正３】
【補正対象書類名】明細書
【補正対象項目名】００１６
【補正方法】変更
【補正の内容】
【００１６】
この構成により、動力源から駆動輪へ伝達される動力の発生を中断する機能を備えた車両において、アクセルペダルとブレーキペダルとの踏み込みが同時に検出された場合に、動力源から出力される駆動力を低下させる低下制御を実行しつつ、低下制御の実行に起因する上記動力発生の中断は禁止するので、駆動力は低下させても車両が無用に停止することを防止でき、ドライバビリティの悪化を防止することができる。
【手続補正４】
【補正対象書類名】明細書
【補正対象項目名】００１７
【補正方法】変更
【補正の内容】
【００１７】
また、本発明に係る車両の制御装置は、前記動力源が、エンジンを有し、前記動力発生中断手段は、所定の停止条件が成立した場合に前記エンジンの自動停止を行うことにより、前記伝達される動力の発生を中断させ、前記動力発生中断禁止手段は、前記出力制御手段により前記低下制御が実行される際、前記動力発生中断手段による前記エンジンの自動停止を禁止することを特徴とする。
【手続補正５】
【補正対象書類名】明細書
【補正対象項目名】００１９
【補正方法】変更
【補正の内容】
【００１９】
さらに、本発明に係る車両の制御装置は、前記動力発生中断手段が、前記制御アクセル開度が予め設定されたアイドル判定値以下となった場合に、前記エンジンの自動停止を行い、前記動力発生中断禁止手段は、前記出力制御手段により変換される前記制御アクセル開度を前記アイドル判定値よりも大きなアクセル下限値以上とさせることを特徴とする。
【手続補正６】
【補正対象書類名】明細書
【補正対象項目名】００２１
【補正方法】変更
【補正の内容】
【００２１】
さらに、本発明に係る車両の制御装置は、前記動力発生中断手段が、前記制御アクセル開度が予め設定されたアイドル判定値以下となった場合に、前記エンジンの自動停止を行い、前記動力発生中断禁止手段は、前記許可条件判定手段により前記制御許可条件が成立したと判定された場合には、前記動力発生中断手段によるエンジンの自動停止を禁止することを特徴とする。
【手続補正７】
【補正対象書類名】明細書
【補正対象項目名】００２３
【補正方法】変更
【補正の内容】
【００２３】
さらに、本発明に係る車両の制御装置は、前記実アクセル開度が予め設定されたアイドル判定値以下になった場合にアイドル状態と判定するアイドル判定手段を備え、前記動力発生中断手段は、前記アイドル判定手段にアイドル状態と判定された場合に、前記エンジンの自動停止を行い、前記動力発生中断禁止手段は、前記出力制御手段による前記低下制御の実行中、前記アイドル判定手段に前記制御アクセル開度が前記アイドル判定値以下となってもアイドル状態と判定させないことを特徴とする。
【手続補正８】
【補正対象書類名】明細書
【補正対象項目名】００２５
【補正方法】変更
【補正の内容】
【００２５】
また、本発明に係る車両の制御装置は、上記課題を解決するため、動力源とアクセルペダルとブレーキペダルとを備えた車両の制御装置において、前記アクセルペダルの踏み込み量を実アクセル開度として検出するアクセル開度検出手段と、前記ブレーキペダルの踏み込みを検出するブレーキ検出手段と、前記動力源から駆動輪への動力伝達により駆動輪に駆動力が発生することを中断させる駆動力発生中断手段と、前記アクセル開度検出手段によりアクセルペダルの踏み込みが検出され、かつ、前記ブレーキ検出手段によりブレーキペダルの踏み込みが検出された場合に、制御許可条件の成立と判定する許可条件判定手段と、前記許可条件判定手段により前記制御許可条件が成立したと判定された場合に、前記アクセル開度検出手段に検出された前記実アクセル開度を制御アクセル開度に変換して、前記動力源から出力される駆動力を低下させる低下制御を実行する出力制御手段と、前記制御許可条件の成立中か否かに応じて、前記駆動力発生中断手段により前記駆動輪に駆動力が発生することを中断させることに対する禁止の有無を切替える駆動力発生中断禁止手段と、前記駆動輪に対する制動を行う制動手段と、を備え、前記駆動力発生中断手段は、所定の制動保持条件が成立した場合、前記制動手段に前記駆動輪の制動を保持させる保持制御を実行することにより、前記駆動輪に駆動力が発生することを中断させ、前記駆動力発生中断禁止手段は、前記出力制御手段により前記低下制御が実行される際、前記駆動力発生中断手段に前記保持制御を実行させないことを特徴とする。
【手続補正９】
【補正対象書類名】明細書
【補正対象項目名】００２７
【補正方法】変更
【補正の内容】
【００２７】
さらに、本発明に係る車両の制御装置は、前記駆動力発生中断手段が、前記制御アクセル開度が予め設定されたアイドル判定値以下となった場合に、前記保持制御を実行し、前記駆動力発生中断禁止手段は、前記出力制御手段により変換される前記制御アクセル開度を前記アイドル判定値よりも大きなアクセル下限値以上とさせることを特徴とする。
【手続補正１０】
【補正対象書類名】明細書
【補正対象項目名】００３１
【補正方法】変更
【補正の内容】
【００３１】
さらに、本発明に係る車両の制御装置は、前記実アクセル開度が予め設定されたアイドル判定値以下になった場合にアイドル状態と判定するアイドル判定手段を備え、前記駆動力発生中断手段は、前記アイドル判定手段にアイドル状態と判定された場合に、前記保持制御を実行し、前記駆動力発生中断禁止手段は、前記出力制御手段による前記低下制御の実行中、前記アイドル判定手段に前記制御アクセル開度が前記アイドル判定値以下となってもアイドル状態と判定させないことを特徴とする。
【手続補正１１】
【補正対象書類名】明細書
【補正対象項目名】００４９
【補正方法】変更
【補正の内容】
【００４９】
本発明によれば、動力源から出力される駆動力を低下させる低下制御の実行に起因する動力発生の中断は禁止し、駆動力は低下させても車両が無用に停止することを防止して、ドライバビリティの悪化を防止することができる車両の制御装置を提供することができる。
【手続補正１２】
【補正対象書類名】明細書
【補正対象項目名】０１４９
【補正方法】変更
【補正の内容】
【０１４９】
ＥＣＵ１００は、エンジン１２から前輪１７Ｌ、１７Ｒおよび後輪１８Ｌ、１８Ｒへトルクが伝達されることを中断するようになっている。また、ＥＣＵ１００は、所定の停止条件が成立した場合にエンジン１２の自動停止を行うことにより、トルクの発生を中断するようになっている。したがって、ＥＣＵ１００は、エンジン１２の自動停止を行うエコラン制御機能を備えている。
【手続補正１３】
【補正対象書類名】明細書
【補正対象項目名】０１５０
【補正方法】変更
【補正の内容】
【０１５０】
また、ＥＣＵ１００は、制御アクセル開度が予め設定されたアイドル判定値以下となった場合に、アイドルＳＷをオンとし、エンジン１２の自動停止、すなわち、エコラン制御機能を行うようになっている。すなわち、ＥＣＵ１００は、動力発生中断手段を構成している。
【手続補正１４】
【補正対象書類名】明細書
【補正対象項目名】０１５６
【補正方法】変更
【補正の内容】
【０１５６】
また、ＥＣＵ１００は、変換する制御アクセル開度をアイドル判定値よりも大きなアクセル下限値以上とするようになっている。すなわち、ＥＣＵ１００は、動力発生中断禁止手段を構成している。
【手続補正１５】
【補正対象書類名】明細書
【補正対象項目名】０１８０
【補正方法】変更
【補正の内容】
【０１８０】
以上のように、本実施の形態における車両の制御装置は、エンジン１２から前輪１７Ｌ、１７Ｒへのトルクの伝達を中断させる機能を備えた車両１０において、アクセルペダル２１２とフットブレーキペダル２１３との踏み込みが同時に検出された場合に、エンジン１２から出力されるトルクを低下させる低下制御を実行しつつ、低下制御の実行に起因するトルクの発生の中断は禁止するので、エンジン１２のトルクは低下させても車両１０が無用に停止することを防止でき、ドライバビリティの悪化を防止することができる。
【手続補正１６】
【補正対象書類名】明細書
【補正対象項目名】０１８４
【補正方法】変更
【補正の内容】
【０１８４】
ここで、本発明の実施の形態における車両１０のＥＣＵ１００の特徴的な構成について、説明する。  
ＥＣＵ１００は、制御許可条件が成立したと判定した場合には、エンジン１２の自動停止を禁止するようになっている。すなわち、ＥＣＵ１００は、動力発生中断禁止手段を構成している。また、第１の実施の形態と異なり、ＥＣＵ１００は、変換する制御アクセル開度をアクセル下限値にかかわらず制御アクセル開度を設定するようになっている。
【手続補正１７】
【補正対象書類名】明細書
【補正対象項目名】０１９５
【補正方法】変更
【補正の内容】
【０１９５】
また、ＥＣＵ１００は、アイドル状態と判定した場合に、エンジン１２の自動停止を行うようになっている。すなわち、ＥＣＵ１００は、動力発生中断手段を構成している。  
さらに、ＥＣＵ１００は、低下制御の実行中、制御アクセル開度がアイドル判定値以下となってもアイドルＳＷをオンとしない、したがって、アイドル状態と判定しないようになっている。すなわち、ＥＣＵ１００は、動力発生中断禁止手段を構成している。
【手続補正１８】
【補正対象書類名】明細書
【補正対象項目名】０２２９
【補正方法】変更
【補正の内容】
【０２２９】
以上説明したように、本発明に係る車両の制御装置は、動力源から出力される駆動力を低下させる低下制御の実行に起因する動力発生の中断は禁止し、駆動力は低下させても車両が無用に停止することを防止して、ドライバビリティの悪化を防止することができるという効果を有し、動力源の出力の抑制制御を行う車両の制御装置等として有用である。
【国際調査報告】
2011074037.tif 000012
2011074037.tif 000013